(57)【要約】  本発明の一態様は、所定の期間にわたって実行される血糖測定に関連するわずかなデータを取得し、前記所定の期間にわたって送達装置によって実行される薬物送達パラメータを取得し、患者のＣＩＲに関連付けられたデータをメモリから取得し、そして、取得したデータの少なくとも一部に基づいて、治療法の修正を決定するプロセッサーユニットを使用することによって、治療法管理の修正を決定するための方法及び製品を提供する。【選択図】図２
2020513969.tif 000002
【特許請求の範囲】
【請求項１】
患者に治療を適応させる方法は、：
最初の期間にわたって血糖自己監視装置によって実行された患者の血糖の少なくとも２つの測定値をメモリ装置から取得し、；  
メモリ装置から以下のうち少なくとも１つを取得し、：
ベーサルレート及びボーラスの少なくとも一方を含む、前記最初の期間にわたって実行される薬物送達パラメータ；そして、
前記患者の炭水化物対インスリン比（ＣＩＲ）情報に関連するデータ、；  
当該方法はさらに、
プロセッサーユニットにより、少なくとも２つの測定値及び前記取得されたデータを考慮することにより治療法の修正を決定し、ここで当該治療法の修正は、後続の期間にわたって使用される前記ベーサルレートに対する修正、及び前記ＣＩＲに対する修正のうちの少なくとも１つを含む治療法の修正であり、    
当該方法は、以下のステップ：
前記患者に前記治療法の変更を提案するステップ；そして、
後続の期間の前記治療修正を考慮してインスリン量を送達するステップ；
のうちの少なくとも１つをさらに含む方法。
【請求項２】
前記最初の期間にわたって前記患者によって摂食された少なくとも１つの食事の炭水化物に関連するデータを前記メモリ装置から取得するステップをさらに含む、請求項１に記載の方法。
【請求項３】
前記決定のステップが、期間ごとの患者の血糖の１０又は８又は５未満の測定値に基づいている、請求項２に記載の方法。
【請求項４】
前記修正されるＣＩＲが、前記後続の期間の少なくとも１つの食事についての少なくとも１つのボーラスをコンピュータ計算するために使用される、請求項１から３のいずれか一項に記載の方法。
【請求項５】
新しい期間ごとに前記方法を繰り返すステップをさらに含む、請求項１から４のいずれか一項に記載の方法。
【請求項６】
前記後続の期間は、実質的に前記最初の期間の終了時に開始する、請求項１から５のいずれか一項に記載の方法。
【請求項７】
少なくとも１つの過去の期間の少なくとも１つの過去のデータを前記メモリ装置から取得するステップをさらに含み、当該少なくとも１つの過去の期間は、前記最初の期間の前である請求項１から請求項６のいずれか一項に記載の方法。
【請求項８】
前記少なくとも１つの過去のデータは、以下のリスト：
ベーサルレート及びボーラスのうちの少なくとも１つを含む、少なくとも１つの過去の期間にわたって実行された薬物送達パラメータ；
ＣＩＲに関連付けられたデータ；
のうち少なくとも１つの過去の期間にわたってＢＧＭによって実行された患者の血糖の少なくとも２つの測定；
うちのいずれかである請求項７に記載の方法。
【請求項９】
前記決定のステップが、さらに前記過去の期間の前記取得されたデータに基づく、請求項８に記載の方法。
【請求項１０】
前記期間の持続時間が、１時間から３６時間、好ましくは１２時間から２４時間、又は１日の間の所定の持続時間である、請求項１から９のいずれか一項に記載の方法。
【請求項１１】
期間の前記持続時間が可変である、請求項１から１０のいずれか一項に記載の方法。
【請求項１２】
前記後続の期間の修正された前記ベーサルレートを前記患者に提案するステップをさらに含む、請求項１から１１のいずれか一項に記載の方法。
【請求項１３】
前記ベーサルレートが単一のベーサルレートを含む、請求項１から１２のいずれか一項に記載の方法。
【請求項１４】
前記ベーサルレートが、少なくとも２つの単一ベーサルレートを含む、請求項１から１３のいずれか一項に記載の方法。
【請求項１５】
患者の通常の診療を学習するステップ；そして
前記ベーサルレート又は前記後続の期間の前記ＣＩＲを決定するための患者の通常の診療を考慮に入れるステップをさらに含む、請求項１から請求項１４のいずれか一項に記載の方法。
【請求項１６】
前記最初の期間の少なくとも一部の間に薬物送達の有効量を決定するステップをさらに含み、前記決定ステップは、薬物送達の前記有効量にさらに基づく請求項１から１５のいずれか一項に記載の方法。
【請求項１７】
前記方法は、前記患者によって起動された要求である、請求項１から１６のいずれか一項に記載の方法。
【請求項１８】
現在の期間のグルコースレベルの最後の測定後に前記方法を起動するステップをさらに含む、請求項１から１７のいずれか一項に記載の方法。
【請求項１９】
前記最初の期間の前に、連続グルコース監視装置（ＣＧＭ）によって実行される患者の血糖のいくつかの測定値を取得するステップをさらに含む、請求項１から１７のいずれか一項に記載の方法。
【請求項２０】
前記決定のステップは、前記最初の期間の前に前記ＣＧＭによって実行された血糖の測定値の少なくとも一部が前記取得されたデータにさらに基づく、請求項１９に記載の方法。
【請求項２１】
前記決定のステップは、俳優批評家（Ａｃｔｏｒ  Ｃｒｉｔｉｃ）学習アルゴリズムを使用する、請求項１から２０のいずれか一項に記載の方法。
【請求項２２】
最初の期間にわたって血糖自己監視装置で前記患者の体液検体の少なくとも２つの測定を実行するステップをさらに含む、請求項１から２１のいずれか一項に記載の方法。
【請求項２３】
患者の糖尿病管理システムは以下の：
前記患者のグルコースレベルに関するグルコースデータを受信するように構成された入力デバイスと、；
ベーサルレート及びボーラスのうちの少なくとも一方を含む薬物送達パラメータに従って、前記患者にインスリンを送達するように構成された送達デバイスと、；
少なくとも１つのグルコースデータと、前記患者の前記薬物送達パラメータ及び炭水化物対インスリン比（ＣＩＲ）情報のうち少なくとも１つとを記憶するように構成されたメモリ装置と、；そして、
プロセッサー及びコンピュータ実行可能命令を含むチューニングモジュールであって、当該チューニングモジュールは、前記コンピュータ実行可能命令が前記プロセッサーによって実行されると、以下の：
最初の期間にわたる少なくとも２つのグルコースデータを前記メモリ装置から取得することと、；
前記メモリ装置からの以下の：
最初の期間に前記送達装置によって実行される前記薬物送達パラメーターと、；そして、
前記ＣＩＲと；  そして、
取得されたデータの少なくとも一部に基づいた、前記ベーサルレートと前記ＣＩＲのうちの少なくとも１つの修正を含む前記治療法の修正の決定と、；
のうち少なくともいずれか１つを取得することと、を実行し、
当該治療法の修正は、前記送達デバイスによって後続の期間に使用されることを意図されており；かつグルコースデータは血糖自己監視装置によって提供されるシステム。
【請求項２４】
前記治療法の修正の少なくとも一部を表示するように構成された視覚ディスプレイを含むユーザーインターフェースをさらに備える、請求項２３に記載のシステム。
【請求項２５】
前記チューニングモジュールは、前記治療法のモジュールを前記患者に提案するように構成され、前記送達装置は、前記患者が前記治療法の修正を受け入れる場合にのみ前記治療法の修正を適用するように構成される、請求項２４に記載のシステム。
【請求項２６】
前記チューニングモジュールは、前記患者の前記通常の診療を学習し、前記治療法の修正を決定するための前記患者の使用を考慮するように構成される、請求項２３から２５のいずれか一項に記載のシステム。
【請求項２７】
前記患者の前記通常の診療は、前記患者によって入力されたデータの間違い及び前記患者の食事に含まれる炭水化物の過大評価又は過小評価の少なくとも１つである、請求項２６に記載のシステム。
【請求項２８】
前記チューニングモジュールは、前記期間にわたって前記患者によって摂食される少なくとも１つの食事の前記炭水化物に関連するデータを取得するように構成されている、請求項２３から２７のいずれか一項に記載のシステム。
【請求項２９】
前記コンピュータ実行可能命令は、期間ごとに患者の血糖の１０又は８又は５未満の測定値を考慮する、請求項２３から２８のいずれか一項に記載のシステム。
【請求項３０】
前記チューニングモジュールは、いくつかの期間の前記取得されたデータの少なくとも一部を考慮することにより前記決定のプロセスを改善するように構成される、請求項２３から２９のいずれか一項に記載のシステム。
【請求項３１】
前記期間の継続時間が予め定められているか、可変であり、１時間から３６時間の間を含む、請求項２３から３０のいずれか一項に記載のシステム。
【請求項３２】
前記チューニングモジュールは、前記最初の期間の少なくとも一部の間に送達前記薬物の前記有効量を決定するように構成される、請求項２３から３１のいずれか一項に記載のシステム。
【請求項３３】
前記チューニングモジュールの前記コンピュータ実行可能命令を起動するように構成された起動装置をさらに備える、請求項２３から３２のいずれか一項に記載のシステム。
【請求項３４】
前記起動装置は、前記患者によって起動される、請求項３３に記載のシステム。
【請求項３５】
前記起動装置は、前記期間の前記患者の前記グルコースレベルの最後の測定後に前記患者によって起動される、請求項３３に記載のシステム。
【請求項３６】
前記調整モジュールは、俳優批評家（Ａｃｔｏｒ  Ｃｒｉｔｉｃ）学習アルゴリズムを使用する、請求項２３から３５のいずれか一項に記載のシステム。
【請求項３７】
データが以下のリストの、血糖自己監視装置又は連続グルコース監視装置のいずれかであるグルコース監視装置をさらに備える、請求項２３から３６のいずれか一項に記載のシステム。
【請求項３８】
コンピュータシステム内の少なくとも１つのプロセッサーが薬物送達パラメータ及び／又は炭水化物対インスリン比（ＣＩＲ）情報を、血糖自己監視装置と連続グルコース監視装置（ＣＧＭ）の間で使用されるグルコース監視装置のタイプに依らず決定可能であるコンピュータプログラムロジックを有する非一時的コンピュータ使用可能媒体を含むコンピュータプログラム製品であって、  当該プログラムロジックは、以下の：
最初の期間にわたって実行された患者のグルコースレベルの少なくとも２つの測定値を得るステップと、；
以下の：
ベーサルレート及びボーラスの少なくとも一方を含む、前記最初の期間にわたって実行される薬物送達パラメータ；及び／又は、
例えば、前記最初の期間中にボーラスを計算するために使用される前記患者のＣＩＲ；
のうち少なくとも１つを取得するステップと、；
前記取得されるデータを考慮して、後続の期間に使用される可能性のある薬物送達パラメータ及び／又はＣＩＲを決定するステップと、
を含む、コンピュータプログラム製品。
【請求項３９】
閉ループ装置の監視に適合した方法であって、以下の：
最初の期間にわたって実行された患者のグルコースレベルの少なくとも２つの測定値を得るステップと、；
以下の：
ベーサルレート及びボーラスの少なくとも一方を含む、前記最初の期間にわたって実行される薬物送達パラメータ、；及び／又は
例えば、前記最初の期間中にボーラスを計算するために使用される前記患者のＣＩＲ；
のうち少なくとも１つを取得するステップと、；
前記取得されるデータを考慮に入れて、後続の期間に使用できるベーサルレート及び／又はＣＩＲの少なくとも一方を含む受け入れ可能なデータのセットを決定するステップと、；
前記受け入れ可能なデータのセットを、後続の期間で閉ループ装置によって計算される前記データと比較するステップ；又は前記受け入れ可能なデータのセットを、後続の期間に使用することを目的とした前記薬物送達パラメーター（又はＣＩＲ）と比較するステップと、
を含み、前記患者又はユーザーに警告するステップか、又は前記受け入れ範囲に適合する別の薬物送達パラメーターを提案するステップをさらに含む方法。
【発明の詳細な説明】
【技術分野】
【０００１】
患者への治療液の医学的注入に適応する方法、システム、及びデバイスが本明細書に記載されている。例えば、インスリン治療管理などの薬物治療管理の「日々」を改善するように構成されたモジュールを含む、システムである（１日は期間の持続時間の一例である）。Ａｃｔｏｒ  Ｃｒｉｔｉｃ（ＡＣ）学習アルゴリズムに関する詳細については、ＰＣＴ出願ＷＯ  ２０１８／０１１７６６  Ａ１に記載されている。このＰＣＴ出願の内容は、参照により本出願に組み込まれる。
【背景技術】
【０００２】
糖尿病は、身体がインスリンを作れない（タイプ１糖尿病-Ｔ１Ｄ）、あるいは、身体が循環インスリンに適切に応答する機能を欠くこと（タイプ２糖尿病-Ｔ２Ｄ）によって引き起こされる慢性代謝障害である。糖尿病は重度の短期及び長期の合併症に関連しており、その効果的な治療は重要かつ緊急である。
【０００３】
糖尿病の治療における主な目標は、短期及び長期の合併症のリスクを減らすために、日常生活における高血糖症及び低血糖症を回避することである。この目的のために、臨床医は、グルコースの変動が可能な限り少ない、上限及び下限内のグルコース濃度とされている、ほぼ正常な血糖値を追求する。Ｔ１ＤとＴ２Ｄの治療は、主に前者が通常のインスリン投与に強く依存している理由によって異なっている。Ｔ２Ｄは通常、食事、運動、及びスルホニルウレアなどの医療サポートの組み合わせで治療されるが、疾病の進行した段階では、外部インスリンが必要である。一方、Ｔ１Ｄは毎日の外部インスリン投与で治療される。今日、グルコースの監視とインスリン投与のためのさまざまな技術的装置は、患者及び糖尿病の専門家を支援し、糖尿病の制御を最適化する。
【０００４】
血糖（ＢＧ）レベルを維持するために、糖尿病患者は定期的にグルコース濃度を測定／監視する必要がある。最初かつ現在まで、グルコース測定に最も一般的に使用されている方法は、主に指の貫通からの全血の滴を使用する血糖自己監視（ＳＭＢＧ）（血糖メーター（ＢＧＭ）とも呼ばれる）によるものである（手順は手動で実行される）。最近では、連続グルコース監視（ＣＧＭ）の開発により、間質組織で、現在グルコースを連続的に測定することが可能となり、サンプリング周波数は、今や１分あたり１回の測定に達する。
【０００５】
インスリン治療法は、血中のグルコース濃度の変動に対する正常な膵臓反応を模倣しようとする。この濃度は、１日の時刻に応じてゆっくりと変化する場合があり（例えば、夕方よりも明け方のほうが低くなるだろう）、患者が炭水化物を摂取した後や運動中にずっと速く変化する。
【０００６】
インスリンは、連続皮下インスリン注入（ＣＳＩＩ）ポンプを使用して（すなわち、使用される装置の精度に応じて数マイクロリットルの小さな増分で）（ほぼ）連続的に注入可能である。このアプローチは、膵臓の挙動を模倣するために、皮下に配置されたカテーテルを通じて１日２４時間インスリンを注入するポンプを使用する。インスリン１回分の投与量は、ベーサルレートとボーラス投与に分けられる。ＣＳＩＩに基づく治療解決策のほとんどは、患者がインスリンポンプをプログラムすることを要求する。しかし、ＣＳＩＩの使用が簡単な場合でも、治療管理は非常にトリッキーであり、過度のトレーニングを必要とするが、エラーが時には劇的な結果に至ることが時々ある。
【０００７】
ベーサルレートに関しては、介護者が1つ又は複数のベーサルレートを提案する場合がある一方、一部のポンプでは、患者が自身の日常生活の中で採用できる異なるタイプのリズムに対応するいくつかのプログラム可能なベーサルレートのプロファイルが提供される。例えば、患者は就業日のプロファイルを設定し、週末や女性患者については月経期のプロファイルを設定することができる。患者は、24時間の注入レートとボーラス量を設定するベーサルレートプロファイルを定義しなければならない。それでも、毎日のベーサルレートプロファイルの決定は複雑なプロセスである。
【０００８】
ボーラスに関して、患者は食事又は補正の必要性に応じてボーラス量を定義することになる。患者は、次回の食事のｃａｒｂｓ（炭水化物）量を評価し、それをインスリン量に変換する専門家になることとなる。ほとんどのポンプには、この評価を容易にするツールが提供されているが、それでもなお、まだ多くのエラーが目に見えている。
【０００９】
治療管理の潜在的なエラーを補償するために、患者は定期的なＢＧ測定を行い、ボーラス（高血糖症の場合）を注入するか、あるいは、炭水化物（低血糖症の場合）を摂取することで悪いＢＧレベルを補償するように求められる。
【００１０】
予期しない又は普通でないイベントが発生すると、ポンプのプログラミングはさらにずっと難しくなる。例：注入ポンプの閉塞、身体活動、病気、インスリン輸送の偏差、又は入力データのエラーである。これらのタイプのイベントは必要なインスリンの量を減少又は増加させる可能性があるため、治療管理者はそれらを考慮に入れ、ベーサルレートを調整してこれらがグルコース制御に与える影響を補償することとなる。
【００１１】
CGMの出現により、近年の市場開発の新たな焦点は閉ループシステムになった。しかし、今日利用可能な製品はほとんどなく、それらが提供する機能はまだ非常にお粗末である。クローズドループシステムの目的は、膵臓を可能な限り模倣することであり、それによって人工膵臓（AP）を作成することである。患者はCGMとインスリン注入ポンプを自分で携帯する。BGは継続的に自動的に測定され、そのレベルはソフトウェアによって分析され、インスリンの量をリアルタイムで調整する。理論的には、システムは完全に自律的に動作し、欠陥のある膵臓を置換すると想定されているが、従来技術のシステムには、以下に説明するいくつかの不利な点がある。
【００１２】
ＡＰは現在、糖尿病の研究の最前線にあるが、このコンセプトは、継続的なインスリン注入のための最初の閉ループアルゴリズムであるＢｉｏｓｔａｔｏｒ（商標）の開発で、７０年代初頭に誕生した。現在までのところ、研究は、皮下グルコース測定の不正確さと遅延、皮下インスリン吸収の遅延を減少させ、及びＣＧＭとポンプの寿命の延長を目的として、ＣＧＭとポンプの改善又は新しい技術が研究調査されている。アルゴリズムの面では、より洗練されたコントローラーの設計と開発に関心がフォーカスされている。この方向に向けて、提案された方法の実際の適応可能性を評価するために、非常に多くの多様なアルゴリズムが文献で提案されており、一連の臨床評価が進行中である。最近、臨床評価手続からやってきたフィードバックとして、制御アルゴリズムとともに機能する安全機構の必要性が取り扱われている。主に過剰なインスリン注入による重度の低血糖の予防を目的として、異常な代謝イベントの早期認識と検出のために、近未来のグルコース予測に基づく様々なアルゴリズムが提案されている。制御アルゴリズムと安全機構は一体となって制御システムを形成し、ＣＧＭとＣＳＩＩポンプ間の閉ループが形成される。制御アルゴリズムと安全機構の相互作用を伴うこのような制御システムの図が図２に示されている。
【００１３】
ＡＰにおける閉ループのための様々な制御アルゴリズムが提案されている。通常、ＡＰの制御アルゴリズムの通常評価では、ＣＧＭデバイスの所与の測定エラーのもと、低血糖と高血糖の両方に対して安全な範囲として一般に受け入れられている７０〜１８０ｍｇ／ｄＬの目標範囲内にグルコースを維持する能力について評価される。
【００１４】
ＡＰは多くのチャレンジに直面している。
患者の安全性：インスリンは非常に強力な薬物であり、過剰又は過少の送達は、患者の非常に深刻な状態につながる可能性があり、特定の状況で死に至る可能性さへある。過剰送達の場合、患者は最初に昏睡状態になる。この状態では、患者はもはや反応できなくなり、治療に変化がもたらされなければ、患者は死亡する。したがって、すべての閉ループシステム、特にそれを駆動するアルゴリズムは、そのような状況を回避し、それらに直面したときに反応できることを保証する必要がある。以下で説明する別の課題は、ＡＰの先にある道のアイデアを与えている。
【００１５】
グルコース測定のエラーと遅延：グルコース測定の外部性能のために今日開発された技術には、重大な制限にかかっている。原理的に、利用可能なリソースで、リアルタイムで連続的に低コストで測定できる、患者に便利な唯一の信号は、ＣＧＭを介した間質液中のグルコース濃度である。従って、測定されたグルコース濃度は、血中の有効濃度と比較して１２〜２０分遅れる。一部の機器では、血液サンプルを使用してＣＧＭを定期的に較正する必要がある。これは、ユーザーの生理機能の変動に大きく左右されるプロセスである。面倒な手順にもかかわらず、現在利用可能なＣＧＭの精度は比較的貧弱なものに留まる。不正確さの別の原因は、センサーがグルコースとのみ相互作用し、他の代謝物を回避する能力に関連する。これは、センサー選択性と呼ばれる問題である。さらに、これまでのところ、ＣＧＭの寿命は、比較的短く、７日間が限度である。その理由は、劣化、ドロップアウト、バッテリーの放電に関連する様々な機能停止のためである。
【００１６】
インスリン注入の時間遅延：グルコース調節はインスリン注入でのみ試行され、インスリン応答は常にある程度の遅延（いわゆる速効型インスリンでは３０分程度）を伴う。さらに、インスリンはグルコースのみしか減少させることができないため、一方的なインスリン制御を使用して低グルコース濃度を補償すると、プロセスはずっと厄介になる。したがって、低血糖などの範囲外の状況に対する急性応答の能力は限定されているか、あるいは制限されてさヘいる。
【００１７】
患者間の変動：糖尿病患者集団の高い個人間の変動は、毎日のインスリン投与と計画の観点から、一人一人でインスリン治療のニーズが大きく異なると解釈される。この変動は、個人間の生理的差異とライフスタイルの変動の両方に関連している。生理学的差異には、体重、年齢、インスリン感受性、及びその他の未決定の要因が含まれる。さらに、個人間の変動には、インスリン及び炭水化物の吸収レートの違いが含まれる。
【００１８】
患者内の変動：同じ人であっても、個人内の変動は短期及び長期の両方で大きい。短期的な変化は、日中の生理学的な変化（夜明け現象など）、又は身体活動、ストレス、その他の不確定要因によるインスリン感受性の変化に主に関連している。長期的の変動は、体重変化、年齢、ライフスタイル等のより恒久的な変化に起因する可能性がある。個体間及び個体内の変動は、グルコース調節プロセスにおいてキーとなる役割を担い、パーソナライズされた治療の必要性をエンハンスする。
【００１９】
システム障害：食事の炭水化物は、外部グルコース変化の主な原因を構成し、したがって、グルコース調節システムの主な障害を構成する。毎日のインスリン投与量のほぼ半分は、食事の炭水化物含有量と食後高血糖の回避に向けられる。グルコース測定とインスリン作用の遅延のため、食事の炭水化物含有量と食事のタイミングに関する事前の知識は、迅速で正確なインスリン投与のために重要である。誤った炭水化物の計算はとてもよくあることであり、身体活動は血糖プロファイルとインスリン感受性（ＳＩ）の両方に密接に関連する別の重要な要因である。グルコース調節システムは、ストレスや病気など、知られていないか、未知／部分的に知られている影響を持つたくさんの追加の障害の影響を受ける可能性がある。これらの要因がグルコースプロファイルとどのように相互作用するかに関する根拠のある情報がない限り、それらはシステムの不確実性として分類される。
【００２０】
したがって、閉ループシステムは、結合された発振器のシステムと解釈できる（図３）。アルゴリズムの目標は、両方の発振器と患者データ及びＣＧＭ入力との間の結合定数「ｋ」を定義することである。質量ｍ１の位置はＣＧＭによって測定されたＢＧ値に対応し、質量ｍ２の位置はポンプにプログラムされたインスリンの注入速度に対応する。物理学の法則は、そのようなシステムがｍ１、ｌ１、ｍ２、ｌ２、ｋのある間隔値とシステムの初期条件に対して不安定になる可能性があることを示す。これらの不安定性は主に定数「ｋ」の値によるもので、ｍ１、ｌ１、ｍ２、ｌ２の特定の値に対してシステムを共振モードにすることができる。特に、共振周波数は、ＣＧＭ測定及びインスリン送達の精度に強くリンクされている長さｌ１及びｌ２に依存する。これらの長さが大きいほど、共振モードでの振動が大きくなり、振動の振幅が大きくなると、致命的な低血糖症になるリスクが高くなる。
【００２１】
結論として、先行技術のシステムにはいくつかの不利益があり、それらの潜在能力を完全に実現する上で重大な課題に直面している。例えば、そのアルゴリズムは非常に複雑であり、安定した患者と１日の比較的静かな期間−夜間のみに有効である。不安定な患者や１日のうちの予測がしにくい期間（例えば、食事や激しい活動の間、患者の日常生活中のリズムの大幅な予期しない変化など）に対して同じ効果はない。
【００２２】
さらに、現在の閉ループシステムはＣＧＭでのみ使用される必要がある。これは、アルゴリズムが患者の血糖値の継続的な測定値の入力を必要とし、ＢＧＭでは使用不可能だからである。実際、通常の場合、１日あたり１０又は８未満（場合によっては５しかない）のグルコースレベルデータ点がＢＧＭでは提供され、従来のシステムでは、インスリンの潜在的なニーズをまとめたり、予測可能とする十分なデータを保持していない。
【先行技術文献】
【特許文献】
【００２３】
【特許文献１】国際公開第２０１８／０１１７６６号
【発明の概要】
【発明が解決しようとする課題】
【００２４】
本発明は、上記で概説したように、従来技術のシステムの欠点を克服することを意図している。本発明は、糖尿病を管理するためのシステムの改善、例えば、薬物送達パラメーター及び／又はインスリン送達量を計算するのに必要な因子を決定するためのコントローラーの改善を意図している。
【００２５】
概念的な観点から見ると、複数の目標の１つは、顕微鏡的ビュー（例えば、ＢＧの継続的な測定）に焦点を合わせることではない。例えば、本発明の一態様は、治療の概要を把握するために、好ましくは長い期間（例えば、１２〜２４時間かそれ以上）である最初の期間の適切に関連するデータ（のみ）を考慮することを提案する。提案されたソリューションは、ＳＭＢＧを介したＢＧ測定と、後続の期間に使用可能であるその他のオプションの適切なデータとに基づいて、ベーサルレート及び／又は、炭水化物とインスリンの比率（ＣＩＲ）を定義可能とする。更に、システムは、過去のデータ、例えば、直前の日々のベーサルレートプロファイル、又は例えば、（後述する）開始段階以来の極端なベーサルレートに基づいて、経時的に治療管理を改善するように構成可能である。また、このシステムはＣＧＭシステムを必要としない場合があり、タイプ１及び／又はタイプ２の糖尿病患者に適応可能である。したがって、システムは、使用されるグルコース監視装置のタイプに依らず、糖尿病の管理を改善するように構成可能であり、これは、糖尿病管理及び患者の生活に真の変革をもたらす。その主な理由の一つは、ＳＭＢＧが糖尿病患者に最も一般的に使用されるグルコース監視装置であることによる。実際、インスリン治療中の糖尿病患者（タイプ１及びタイプ２）の大半はＣＧＭではなくＳＭＢＧを使用しているが、これは、ＣＧＭと交換センサーはＳＭＢＧよりもはるかに高価であることによる。さらに、ほとんどの国では、ＣＧＭは利用できないか、健康保険の対象外である（あるいは、限られた数の患者のみ）。
【００２６】
したがって、システムは、以下に基づいて治療法の修正を決定するように適応可能である：
−  システムが偶発的に受信したグルコースデータ、及び／又は、
−  患者のグルコースに関連する体液検体の個別測定、及び／又は、
−  血糖自己測定（ＳＭＢＧ）等によって提供される個別のデータ、及び／又は、
−  その他のデータ、
これらは、従来のデバイスでは、頻繁及び／又は連続的な測定を要求するために、不可能である。
【課題を解決するための手段】
【００２７】
本発明の第１の態様に依れば、本発明は、患者への治療の適応方法を提供することによって、上記の問題を解決し、当該方法は以下のステップを含む。：
患者の体液検体の少なくとも２つの測定を、最初の期間にわたって血糖自己測定（ＳＭＢＧ）で実行し、；
メモリ装置から次の少なくとも１つを取得する：
ベーサルレート及びボーラスのうち少なくとも１つを含む、最初の期間に実行された薬物送達パラメータと、；
患者のＣＩＲ、そして、；
少なくとも２つの測定値と取得したデータを考慮して、治療の修正をプロセッサーユニットによって決定する、；好ましくは、治療法の修正は、ベーサルレートの修正及びＣＩＲの修正のうちの少なくとも１つを含み得る。
【００２８】
この方法は、以下のステップのうちの少なくとも１つをさらに含む：
治療の変更の少なくとも一部を表示する。
患者に治療法の修正を提案する。及び／又は
後続の期間の治療法の修正を考慮してインスリン量を送達する。
【００２９】
従来技術のシステム、特に閉ループシステムと比較して、好ましくは、本発明の一態様による「期間」は、ＣＧＭを使用する閉ループシステムによって使用される期間よりも長い。例えば、最初の期間の持続時間は、１時間から３６時間、の間に、好ましくは１０時間から２４時間の間位に、又は１日と構成されてもよい。さらに、この方法で考慮される２つの測定間の時間間隔は、１時間から４時間の間から成ってもよい。
これは、治療の概要を把握するためであり、プロセッサーユニットは短時間のデータにフォーカスしない。さらに、プロセッサーユニットは、当該時間間隔中にはＳＭＢＧの使用が可能になる程度のわずかな数のＢＧレベルの測定値を使用する。
したがって、本発明の一態様による方法は、一単位期間あたり、好ましくは１日あたり、患者のＢＧの１０又は８又は５（又はそれ以下）の測定値のみでベーサルレートプロファイル及び／又はＣＩＲを決定することを可能とする。換言すれば、本発明の一態様は、ＢＧＭによって実行されるＢＧ測定値と、現時間間隔のベーサルレートとを使用することによって、インスリン治療法を決定することを可能とする。従来技術の閉ループシステムでは、アルゴリズムが毎分数回の測定を必要とするため、これは不可能である。好ましくは、新しいベーサルレート及び／又は新しいＣＩＲの提案の直前の期間における測定回数が少ない点は、アルゴリズムが患者の履歴（例えば、過去の期間のベーサルレート又はＣＩＲ）から学んだことすべてを考慮に入れることができるという事実によって補償される。治療法の修正を決定するために、修正されたパラメータをコンピュータ処理又は計算するために数学的モデルが使用されてもよい。
【００３０】
例示的な実施形態では、プロセッサーユニットは、前に修正されたデータ（ベーサルレート及び／又はＣＩＲ）を考慮して、新しいベーサルレート及び／又は新しいＣＩＲを決定する。したがって、プロセスユニットは時間の経過とともに学習する。
【００３１】
他の実施例では、プロセスユニットは、患者の通常の診療を学習し、その後の期間のベーサルレート又はＣＩＲを決定するために、患者の通常の診療を考慮に入れる。例えば、患者が食事の炭水化物を過大評価又は過小評価する傾向がある場合、プロセッサーユニットはこのエラーを考慮に入れ、次にベーサルレート又はＣＩＲを減少又は増加させる。
【００３２】
第２の態様では、本発明は、患者の糖尿病管理のためのシステムを提供することにより上記の問題を解決し、それは以下を含む：
患者のグルコースレベルに関連するグルコースデータを受信するように構成された入力デバイス（取得デバイスとも呼ばれる）；
ベーサルレート及びボーラスのうちの少なくとも一方を含む薬物送達パラメータに従って患者にインスリンを送達するように構成された送達デバイス；
以下を記憶するように構成されたメモリ装置
少なくとも１つのグルコースデータと
薬物送達パラメーターと患者の炭水化物／インシュリン比情報に関連するＣＩＲとのうちから少なくとも１つ；
実行時に以下に適応するコンピューター実行可能命令：
最初の期間にわたって少なくとも２つのグルコースデータをメモリ装置から取得する；  
メモリ装置から次の少なくとも１つを取得する：
最初の期間に送達装置によって実行された薬物送達パラメーター；そして
前記ＣＩＲ；そして
取得したデータの少なくとも一部に基づいて、以下の少なくとも１つの修正を含む治療修正を決定する：
前記ベーサルレート；そして、
前記ＣＩＲ。
【００３３】
治療法の修正は、好ましくは、送達装置によってその後の期間に使用されることを意図している。グルコースデータは、好ましくは、血糖自己監視（ＳＭＢＧ）によって提供される。
【００３４】
コンピュータ実行可能命令は、さらに以下に適応可能である：
治療の修正の少なくとも一部の表示；
患者に治療法の修正提案；及び／又は、
後続の期間の治療法の修正を考慮することによって、インスリン量を送達するように送達デバイスを制御すること。
【００３５】
システムのチューニングモジュールは、ソフトウェア又はハードウェアとして実装され、例えば、上記の命令を実行するように構成されたプロセッサーユニットを備える。チューニングジュールは、送達デバイス又はリモートコントロールデバイス、又はリモートサーバー又はクラウドに配置又は設置可能である。
【００３６】
このソリューションの大きな利点の一つは、タイプ1とタイプ2の両方の糖尿病患者が使用できるSMBG測定に基づくAPアルゴリズムを提供する点にある。
第３の態様によれば、本発明は、使用されるグルコース監視装置のタイプに依らず、患者の糖尿病管理を適応させるように適応されたシステム及び方法を提供することにより上記の問題を解決する。
【００３７】
この方法は、次のステップで構成され、：
−  最初の期間にわたって、患者の血糖レベルの少なくとも２つの測定値を取得する；
−  次のうち少なくとも１つを取得する：
ベーサルレートとボーラスの少なくとも１つを含む、最初の期間に実行された薬物送達パラメータ；及び／又は、
最初の期間中にボーラスを計算するために使用される患者のＣＩＲ；  そして、
−  得られたデータを考慮に入れて、後続の期間に使用することを意図するものとして、薬物送達パラメーター及び／又はＣＩＲを決定又は計算する。
【００３８】
好ましい実施形態では、「決定又は計算」のステップは、血糖濃度を測定するために使用される装置に依らずに実行される。この装置は、ＳＭＢＧ、ＣＧＭでも、あるいは血糖濃度を自動又は手動で測定するように構成された他の装置でもよい。
【００３９】
この方法の目標は、その後の期間のグルコース監視装置のタイプ（例えばＳＭＢＧ又はＣＧＭ）とは無関係にインスリン治療法を決定することである。
【００４０】
.
さらなる態様において、本発明は、上記製品がコンピュータ上で実行されるときに上記で開示された方法を実行するためのソフトウェアコード部分を含むデジタルコンピュータの内部メモリにロード可能なコンピュータプログラム製品に関する。
【００４１】
さらなる態様では、本発明は、コンピュータシステム内の少なくとも１つのプロセッサーが薬物送達パラメータ及び／又はＣＩＲをＳＭＢＧとＣＧＭの間で使用される血糖監視装置のタイプに依らず決定するためのコンピュータプログラムロジックを保持する非一時的コンピュータ使用可能媒体を含むコンピュータプログラム製品に関する。コンピュータプログラムロジックは、次のステップを含む：
−  患者の血糖値の少なくとも２つの測定値を最初の期間にわたって取得する；
−  次のうち少なくとも１つを取得する：
ベーサルレートとボーラスの少なくとも１つを含む、最初の期間に実行された薬物送達パラメータ；及び／又は、
例えば、最初の期間中にボーラスを計算するために使用される患者のＣＩＲ；そして
−  得られたデータを考慮に入れて、後続の期間に使用できる薬物送達パラメータ及び／又はＣＩＲを決定又は計算する。
【００４２】
本発明の第４の態様によれば、この高度な技術により、閉ループ装置を監視するように適応されたシステム及び方法を得ることが可能となる。この場合、この方法は次のステップを含む：
−  患者の血糖値の少なくとも２つの測定値を最初の期間にわたって取得する；
−  次のうち少なくとも１つを取得する：
ベーサルレートとボーラスのうち少なくとも１つを含む、最初の期間に実行された薬物送達パラメータ；及び／又は、
例えば、最初の期間中にボーラスを計算するため等に使用される患者のＣＩＲ；
−  得られたデータを考慮に入れることにより、例えば、その後の期間に使用され得るベーサルレート及び／又はＣＩＲの少なくとも一方を含む受入れ可能なデータのセットを決定又は計算する。；そして
−  受入れ可能なデータのセットを、後続の期間で閉ループデバイスによって計算されたデータと比較する；あるいは
−  許容可能なデータのセットを、後続の期間に使用することを目的とした薬物送達パラメーター（又はＣＩＲ）と比較する。
【００４３】
差がしきい値よりも大きい場合、当該方法は、患者又はユーザー（医師や看護師など）に警告するか、あるいは、前記受け入れ可能範囲に従って他の薬物送達パラメーターを提案するステップをさらに含む。
【００４４】
さらに次の制限が適用される場合がある:
HCPで定義された絶対制限（例：ボーラスで25U、基礎で10U/h）、及び/又は、
IOB制限、及び/又は、
１０％の治療の最大変更幅,及び/又は、
このドキュメントで説明されているように、予測モデルを使用するその他の制限このドキュメントで説明されているように、予測モデルを使用するその他の制限.
【００４５】
好ましい実施形態では、システムは以下を含む。
−  患者の複数のグルコースデータを取得するように構成された取得装置；
−  ベーサルレートとボーラスの少なくとも一方を含む薬物送達パラメータを決定するように構成された閉ループ装置；
−  薬物送達パラメータ及び／又はグルコースデータ等に関する複数のデータを記憶するように構成されたメモリ装置；
−  薬物送達パラメーターに従って患者に薬物を送達するように構成された送達デバイス；そして、
−  次のようにプログラムされたプロセッサー：
事前定義された期間にわたって測定された患者の血糖データを受信する；
前記所定の期間にわたって送達装置によって適用された薬物送達パラメータを受信する；
受信データを考慮することにより、後続の期間に使用できるベーサルレート及び／又はＣＩＲの少なくとも一方等を含む受入れ可能なデータのセットを決定又は計算する。
【００４６】
好ましい実施形態では、プロセッサーはさらに次のようにプログラムされている:
−  後続の期間に閉ループ装置によって計算された（又は使用されることが意図された）薬物送達パラメーター（及び/又はCIR）を受信する;そして、
−  受入れ可能なデータのセットを、後続の期間に閉ループデバイスによって計算された（又は使用することが意図された）薬物送達パラメーター（及び/又はCIR）と比較する。
【００４７】
差が所定のしきい値に達すると、プロセッサーは次のようにプログラムされている:
−  患者又は他のユーザーに警告する,及び/又は
−  前記の受入れ可能な範囲に従う他の薬物送達パラメーターを提案する、及び/又は
−  閉ループ装置の処理を終了する。
【００４８】
好ましい実施形態では、プロセッサーは、閉ループ装置によって使用されるアルゴリズム又はプログラム又はソフトウェア又はコンピュータ実行可能命令とは異なるアルゴリズム又はプログラム又はソフトウェア又はコンピュータ実行可能命令を使用する。閉ループ装置は、監視プロセスに使用されるプロセッサーとは異なるプロセッサーを備える。さらに好ましい実施形態では、監視プロセスに使用されるプロセッサーはウォッチドッグとして使用される。
【図面の簡単な説明】
【００４９】
本発明は、以下の図に描かれている非限定的な例を含む以下の詳細な説明に照らしてよりよく理解されるであろう。
【００５０】
【図１ａ】図１aは、本発明に係るシステムの実施例を示す図である。
【図１ｂ】図１ｂは、本発明に係るシステムの実施例の別の図である。
【図１ｃ】図１ｃは、本発明に係るシステムの実施例の別の図である。
【図１ｄ】図１ｄは、本発明に係るシステムの実施例の別の図である。
【図１ｅ】図１ｅは、本発明に係るシステムの実施例の別の図である。
【図２】図２は、制御アルゴリズムと安全機構を備えた制御システムを示す図である。
【図３】図３は、結合発振器を示す図である。
【図４】図４は、１日のベーサルレートとＣＩＲの更新の例を示す図である。。
【図５ａ】図５ａは、制御変動グリッド分析（ＣＶＧＡ）の観点から、コンピュータ上での使用例の主要な評価結果を示す図である。
【図５ｂ】図５ｂの表１は、同じ実験の結果をＢＧレベルの観点から示す。
【図６】図６は、本発明の一態様に係るシステムの一実施例を示す図である。
【図７】図７は、閉ループを使用する本発明に係る一態様によるシステムの実施例を示す図である。
【図８】図８は、監視プロセスの実施例を示す図である。
【図９】図９は、実施例のコンピュータ上での評価設定を示す図である。
【図１０】図１０は、本発明に係る方法で使用されるＣＧＭとＢＧＭの比較を示す図である。
【図１１】図１１は、本発明の一態様による初期フェーズの一実施例を示す図である。
【図１２】図１２は、本発明の一態様による実施例のフローチャートを示す図である。
【図１３】図１３は、本発明の一態様による実施例のフローチャートを示す図である。
【図１４】図１４は、本発明の一態様による実施例のフローチャートを示す図である。
【図１５】図１５は、本発明の一態様による実施例のフローチャートを示す図である。
【図１６】図１６は、本発明の一態様による実施例のフローチャートを示す図である。
【図１７ａ】図１７Ａは、本発明の一態様による実施例のフローチャートを示す図である。
【図１７ｂ】図１７Ｂは、本発明の一態様による実施例のフローチャートを示す図である。
【発明を実施するための形態】
【００５１】
以下の詳細な説明では、本明細書の一部をここに構成し、デバイス、システム、及び方法のいくつかの実施形態が描画として示されている添付図面が参照される。他の実施形態が考えられ、本開示の範囲又は精神から逸脱することなく作成され得ることが理解されるべきである。したがって、以下の詳細な説明は、限定的な意味で解釈されるべきではない。
【００５２】
ここで使用されるすべての科学用語及び技術用語は、特に明記しない限り、当該技術分野で一般的に使用される意味を持つ。ここで提供される定義は、本明細書で頻繁に使用される特定の用語の理解を容易にするためのものであり、本開示の範囲を限定するものではない。
【００５３】
本明細書及び添付の特許請求の範囲で使用されるように、複数の語尾を有さず、「一つの」「１つの」及び「その」「前記」の接頭語を付された単語でも、内容が明らかにそうでないことを示さない限り、複数の指示対象を有する実施形態を含む。
【００５４】
本明細書及び添付の特許請求の範囲で使用される場合、「トップ」、「ボトム」、「左」、「右」、「上方」、「下方」、及び他の方向又は向きなど、ここで参照される任意の方向がここで記載されるが、これは図面参照における明確性のためであり、実際のデバイス又はシステムを制限することを意図していない。ここで説明されるデバイス及びシステムは、多くの方向及び向きで使用可能である。
【００５５】
ここで使用される場合、「有する」、「持っている」、「含む」、「含んでいる」、「成る」、「構成する」などは、目的語に限定しない意味で使用され、一般に「含むが、これらに限定されない」ことを意味する。
【００５６】
本明細書及び添付の特許請求の範囲で使用されるように、「○○○又は△△△」という用語は、内容が明らかにそうでないことを示さない限り、「○○○及び／又は△△△」すなわち「○○○及び△△△又はこれらのうち少なくともいずれか１つを含む」を含む意味で一般的に使用される。
【００５７】
ここで使用される「実質的に」という用語は広義の用語であり、通常の意味で使用され、大部分ではあるが必ずしも指定されているもの全体をいうものではないことを含むが、これらに限定されない。
【００５８】
ここで使用される「マイクロプロセッサー」及び「プロセッサー」という用語は広義の用語であり、その通常の意味で使用され、コンピューターを駆動する基本的命令に応答し、処理する論理回路を使用して算術及び論理演算を実行するように設計されたコンピュータシステム又はプロセッサーをいうがこれらに限定されない。
【００５９】
ここで使用される「ＲＯＭ」という用語は広義の用語であり、その通常の意味で使用され、固定内容で製造されるデータ記憶装置の一種である読み取り専用メモリをいうがこれらに限定されない。ＲＯＭは、例えば、電気的に消去可能なプログラム可能な読み取り専用メモリ（ＲＯＭ）であるＥＥＰＲＯＭなどを含む広い意味である。
【００６０】
ここで使用される「ＲＡＭ」という用語は広義の用語であり、その通常の意味で使用され、異なる場所へのアクセス順序がアクセス速度に影響を及ぼさないデータ記憶装置をいうがこれらに限定されない。ＲＡＭは、例えばＳＲＡＭを含めるのにも十分に広義であり、当該ＳＲＡＭは、電源が供給されている限りメモリ内にデータビットを保持するスタティックランダムアクセスメモリである。
【００６１】
本明細書で使用される「ＲＦトランシーバ」又は「無線通信デバイス」という用語は広義の用語であり、その通常の意味で使用され、信号を送信及び／又は受信する無線周波数送信機及び／又は受信機をいうがこれらに限定されない。
【００６２】
本明細書で使用される「接続」及び「動作可能にリンク」という用語は広義の用語であり、その通常の意味で使用され、コンポーネント間で信号の伝送を可能にするように、１つ又は複数のコンポーネントが別のコンポーネントにリンクされることをいうがこれらに限定されない。。
【００６３】
本明細書で使用される「アルゴリズム」という用語は広義の用語であり、その通常の意味で使用され、例えばコンピューター処理を使用して、ある状態から別の状態に情報を変換することに関与するコンピュータプロセス（例えばプログラム）をいうがこれらに限定されない。
【００６４】
本明細書で使用される「アラーム」という用語は広義の用語であり、その通常の意味で使用され、異常の検出に応答してトリガーされる可聴、視覚、又は触覚信号をいうがこれらに限定されない。
【００６５】
本明細書で使用される「コンピュータ」という用語は広義の用語であり、その通常の意味で使用され、何ら限定されずに、データを操作するようにプログラムできるマシンをいう。
【００６６】
本明細書で使用される「患者」という用語は広義の用語であり、その通常の意味で使用され、何ら限定されずに、情報が収集される個人又は治療を受けている個人をいう。
【００６７】
本明細書で使用される「介護者」という用語は広義の用語であり、その通常の意味で使用され、看護師、医師、及び他の医療提供者のスタッフをいうがこれらに限定されない。
【００６８】
ここで使用される「グルコース監視装置」という用語は広義の用語であり、その通常の意味で使用され、患者のグルコース濃度をモニター又は測定するように構成又は適応された装置をいうがこれらに限定されない。グルコース監視装置は、ＣＧＭ、ＳＭＢＧ又は他の装置であり得る。
【００６９】
ここで使用される「連続グルコースセンサー」又は「CGM」という用語は広義の用語であり、その通常の意味で使用され、身体液（例えば、血液、血漿、間質液、無血間質液の類）のグルコース濃度を連続的又は継続的に（自動的に）例えば、秒の少数部から、例えば、1、2、又は5分までの範囲の時間間隔で測定するように構成又は適応されたデバイスをいうがこれらに限定されない。連続的又は継続的なグルコースセンサーは、各測定のためにユーザーによる開始及び/又は介在を必要とせずにグルコース濃度を継続的に測定可能であることは理解されるべきである。CGMは、単一の血糖レベルを手動で取得するために使用されるSMBG（BGMとも呼ばれる）とは異なる。
【００７０】
ここで使用される「血中グルコースの自己監視」又は「ＳＭＢＧ」という用語は広義の用語であり、その通常の意味で使用され、患者のグルコース濃度を測定するために手動で使用されるように構成又は適応された装置をいうがこれらに限定されない。ＳＭＢＧは、一滴の血液から患者のグルコース濃度を測定するように適応可能である。ＳＭＢＧは、患者の体外で測定を実行するように適応可能である。例えば、血糖計（ＳＭＢＧ又はＢＧＭ）を使用するための一般的な指示には、ユーザー（例えば患者）が手動で実行するいくつかの手順が含まれる。
１．手を洗うか、患者の指又は他の部位をアルコールでクリーンにする。
２．穿刺装置で部位を刺す。
３．血液をテストストリップに少し垂らす。
４．血糖計にテストストリップを挿入する。
ステップを経てはじめて、血糖計が血糖値を決定し、この値をユーザーに伝える。
【００７１】
ここで使用される「インスリン治療法」という用語は広義の用語であり、その通常の意味で使用され、ホスト（患者）に送達されるインスリンの量及び／又はスケジュール及び／又は  インスリン投与量の計算に必要なデータをいうがこれらに限定されない。
【００７２】
ここで使用される「基礎」という用語は広義の用語であり、その通常の意味で使用され、健康又は生命に必要な基礎レベルをいうがこれらに限定されない。例えば、インスリン治療法の場合、肝臓や筋肉などの臓器からの患者の代謝のグルコース出力を「カバー」することを目的とするインスリンの投与量を述べることもあるが、これらの特定の臓器に限定されない。
【００７３】
ここで使用される「ベーサルレート」又は「ベーサルレートプロファイル」という用語は広義の用語であり、その通常の意味で使用され、期間中の患者への溶液の基礎供給のレート又はレートのセットをいうがこれらに限定されない。送達は、連続的な供給と実質的に同様の効果を得るために、実質的に連続的であるか、いくつかのパルスによって（ポンピング機構又はデバイスに応じて）実行されてよい。ここで使用される単一のベーサルレートは、所定の期間、例えば１秒、１分、１時間以上にわたって送達される単一、フラット又は固定のレートをいうがこれらに限定されない。ベーサルレート又はベーサルレートプロファイルは、２４時間の期間全体にわたって１つ又は複数の単一のベーサルレートを含み得る。
【００７４】
ここで使用される「ボーラス」という用語は広義の用語であり、その通常の意味で使用され、計算及び/又は食事中/食後に一般に起こる上昇など、血糖の予想される上昇をカバーするのに十分であると評価された短い、所定の期間にわたって与えられる通常の単回投与のインスリンをいうが、これに限定されない。
【００７５】
ここで使用される「ＣＩＲ」という用語は広義の用語であり、その通常の意味で使用され、食事に含まれる炭水化物の一部をこれらの炭水化物を吸収するために必要なその対応するインスリン量に変換するために使用されるインスリンと炭水化物の比率をいうがこれに限定されない。
【００７６】
ここで使用される「ＣＩＲプロファイル」という用語は広義の用語であり、その通常の意味で使用され、一定期間に食べる食事に適用される比率又は比率のセットをいうがこれらに限定されない。ＣＩＲプロファイルは、一日の全食についての１つの比率を含むこともあり、各食事の比率を含むこともある。
【００７７】
ここで使用される「インテリジェント」という用語は広義の用語であり、その通常の意味で使用され、現在の状況の変化に適応し、処理中の情報から緩和できるようにプログラムされたシステム及び方法をいうがこれらに限定されない。
【００７８】
ここで使用される「期間」という用語は広義の用語であり、その通常の意味で使用され、単一の時点及び第１の時点から第２の時点へ延びる経路（例えば、時間の範囲）をいうがこれに限定されない。例えば、期間は１時間から３６時間の間に含まれる場合がある。期間は可変でも固定でもよく、あらかじめ決められていてもいなくてもよい。
【００７９】
ここで使用される「測定検体値」という用語は広義の用語であり、その通常の意味で使用され、検体センサーによって検体データが測定された期間の検体値又は検体値のセットをいうがこれらに限定されない。この用語は、センサー及び／又はレシーバーでのデータ処理の前又は後の分析対象センサーからのデータ（例えば、データの平滑化、キャリブレーションの類）を含むのに十分広義である。
【００８０】
本明細書で使用される「プログラムされた」及び「プログラム可能」という用語は広義の用語であり、その通常の意味で使用され、コンピュータによって実行される一連のステップ及び／又は命令として、準備された又は準備可能であることをいうがこれらに限定されない。ここで使用する場合、プログラム及びプログラム可能という用語には、「事前プログラム済み」、「事前プログラム可能」、「再プログラム済み」、及び「再プログラム可能」が含まれる。一例では、制約は使用前にプログラム可能であり、及び／又は後に再プログラム可能である。
【００８１】
Ｔ１Ｄは１型糖尿病をいう。膵臓のランゲルハンス島にあるインスリン産生ベータ細胞の自己免疫プロセスを理由とする破壊によって特徴付けられる。これはインスリンの供給不足につながり、したがってほとんどの細胞がエネルギー源としてグルコースを摂取できなくなる。このタイプの糖尿病のゴールドスタンダード治療はインスリン注入である。最近のいくつかの研究では、この形態の病気の有病率が人口よりわずかに速く増加していることを示すトレンドがある。
【００８２】
Ｔ２Ｄは２型糖尿病をいう。この形態の疾患は、細胞によるインスリン抵抗性の低下又はインスリン感受性の低下によるものであり、したがって、膵臓のインスリン産生ベータ細胞のさらなる努力を要求する。長期的には、これによりこれらのベータ細胞の疲労が誘発され、インスリン分泌が低下する可能性がある。治療は主に、インスリンに対する標的器官の感受性を高める薬剤（メトホルミンの類の増感剤）又は膵臓から分泌されるインスリンの量を増やす薬剤（スルホニルウレア又はＧＬＰ-１アナログの類の分泌促進薬）を使用して行われる。しかし、Ｔ２Ｄ患者の約３０％はインスリンで治療される。
【実施例】
【００８３】
オプションの初期フェーズのフローチャートを示す図１１に焦点を当てる。好ましくは、本書で説明する送達システムを使用する前に、患者は介護者又は医師に会い、治療データの最初のセットを定義する（例えば、ベーサルレートプロファイル及び／又は１つ以上のＣＩＲ、例えばＣＩＲプロファイル）。この治療データの最初のセットが定義されると、最初のフェーズ（初期化フェーズと呼ばれる）を開始できる。好ましくは、この初期化段階中に、患者は通常、彼女／彼の治療法を受けるか、又は彼女／彼は、例えば病院で管理された方法で彼女／彼の治療法を受けることができる。したがって、決定された量のインスリンが、治療データの最初のセットに従って患者に送達される。例えば、送達システムは、介護者によって事前定義された治療データ（治療データの最初のセット）でプログラムされ、次に、送達システムは、このデータの治療データの最初のセットに応じてインスリンを送達する。必要なら、介護者又は彼女／彼の介護者のガイドの下で患者がインスリン療法を変更してもよい。好ましくは、初期化フェーズ中に、システムはデータを収集してパラメータを初期化する。したがって、システムは、次のフェーズのまさに最初からパーソナライズされた最適化された治療法を提供可能である。
【００８４】
初期化フェーズの期間は、１日以上、又は１週間、好ましくは２〜１５日、より好ましくは４〜７日である。このフェーズでは、図１１のステップ４／５で説明したように、患者の血糖が監視され、好ましくは継続的に監視される。他のデータ、例えば次のリストの少なくとも１つのデータを監視することができる：使用されるベーサルレート、患者に効果的に送達されたインスリンの量、患者の活動、摂食された食物、患者の体重、現在の患者の年齢、患者の健康状態ＢＧレベル、注入されたボーラス、患者によって摂食された食物の炭水化物である。さらに、システムはメモリ装置にデータ（ＢＧ、ＢＲ、…）を記憶してもよい。
【００８５】
このフェーズの終了時に、治療法が決定可能とされ、少なくとも1つのベーサルレート及び/又は少なくとも1つのCIRが含まれてよい。このフェーズにより、システムはより迅速に学習可能となり、及び/又は初期化フェーズ中に取得した知識に従って最適化され、パーソナライズされた最初の最適な治療を定義可能である。
【００８６】
前述の第１フェーズ（初期化フェーズ）は、ＡＰアルゴリズムのパフォーマンスを改善可能であるが、これは、第１フェーズ中にＡＰアルゴリズムの（一部の）パラメータが初期化され、及び／又は患者固有のデータに基づいてパーソナライズ可能だからである。しかし、この文書で説明されている送達システムの使用に、最初のフェーズは必須ではない。初期化する必要のあるパラメーターは、０，０．５又はその他の値に、又はその他の適切な方法で初期化されるであろう。この場合、最初のフェーズはスキップしてもよい。
【００８７】
初期化フェーズ（初期化フェーズが含まれる場合）の後、第２のフェーズ（図１２に示す）を開始できる。このフェーズでは、１つ以上の期間中に取得した新しい知識に基づいて、日々治療法を改善可能である。患者はＣＧＭを使用してならず、ＢＧの監視にＢＧＭのみが使用可能である。第２フェーズは、使用されるグルコース監視装置のタイプに依らず実行可能である。
【００８８】
第２フェーズの最初の期間の冒頭に、最初の最適な治療（例えば、前のステップで定義された治療データ）で送達システムがプログラムされている。したがって、例えば、システムのプロセッサーは、メモリ（システム又はリモート医療サーバのメモリ）から最初の最適な治療データを取得又は読み取り、このデータに従って最初の期間にわたって送達装置を制御する。特に、送達装置は、最初の最適な治療のベーサルレートプロファイルに従ってインスリンを送達する。このベーサルレートプロファイルは、１つ以上の単一のベーサルレートを含み得る。そして、食事時間に、プロセッサーはメモリから最初の最適な治療のＣＩＲプロファイルを取得又は読み取り、このＣＩＲプロファイルを使用して１回のボーラス投与量を計算する。このＣＩＲプロファイルは、単一のＣＩＲで構成されても、又は複数のＣＩＲで構成されてもよい。特定のＣＩＲは、食事のタイプ（朝食、昼食、夕食、おやつ）専用とされてもよい。
【００８９】
最初の期間にわたって、システムは実行されたＢＧ測定を保存する。
好ましくは、最初の期間中、例えばこの期間の終了時近く（ただし、必ずしも期間の終了時ではなくてよい）、システムは新しい最適な治療法（例えばベーサルレートプロファイル及び／又は、ＣＩＲプロファイル）を決定するアルゴリズムを使用してもよく、この治療法は、これは、後続の期間、例えば最初の期間の終了時に開始する次の期間に使用可能とされる。好ましくは、ベーサルレートプロファイル及び／又はＣＩＲプロファイルは、期間ごとに１回だけ計算される（例えば、１日に１回限り）。
【００９０】
オプションで、ＣＩＲ又はＣＩＲプロファイルは、ベーサルレートプロファイルと同時に計算されない場合がある。この場合、ＣＩＲ又はＣＩＲプロファイルは、食事時又は直前（例えば、現在の期間の最初の食事又は現在の期間の各々の食事の時）に計算される。
【００９１】
新しい最適療法は、例えば現在の期間中及び／又は１つ又は複数の過去の期間中及び／又は初期化段階中等の１つ又は複数の期間中に得られた知識に従って最適化されていることが理解されるべきである。
【００９２】
好ましくは、新しい最適な治療法を決定するために、システムのプロセッサーは、次のリストの少なくとも１つのデータを考慮することができる：現在の期間の血糖測定値、現在の期間のベーサルレート、１つ又は複数の過去の期間のベーサルレート、現在の期間のＣＩＲ又はＣＩＲプロファイル、及び１つ又は複数の過去の期間のＣＩＲ又はＣＩＲプロファイルである。
【００９３】
オプションとして、新しい最適な治療法を決定するために、システムのプロセッサーは、次のリストの少なくとも１つのデータをさらに考慮することができる：１つ以上の過去の期間の血糖測定値、患者に効果的に送達されたインスリンの量、患者の活動、摂食された食物、患者の体重、現在の患者の年齢、患者の健康状態、ＢＧレベル、注入されたボーラス、患者によって摂食された食物に含まれる炭水化物である。オプションとして、新しい最適な治療法は、最大２０％、又は好ましくは、古い治療の１０％以下の変更に制限してもよい（安全上の理由のため）。
【００９４】
新しい最適な治療法を決定するためにＢＧ測定が要求される場合、システムは、期間毎に又は１日あたり１０以下、好ましくは８以下、より好ましくは５以下の血糖測定のみを必要とするだけである。
【００９５】
決定ステップは、患者によって起動された要求であってもよい。この場合、システムは「起動」ボタン（例えば、リモートコントローラーのタッチスクリーン上の仮想ボタン）を備えていてもよい。
【００９６】
決定ステップは、最後の血糖測定中又は直後（数秒後）に（例えば、患者によって）起動されてよい。例えば、患者が現在の期間の最後に彼女／彼のＢＧレベルを測定するとき、システムは、次の期間の最適な治療法の決定を起動するように患者に提案してもよい。仮想「起動」ボタンは、所定の測定後（例えば、現在の期間で５回の測定後のみ）にアクティベート又は使用可能とされてもよく、所定の測定後（例えば、夕食時に実行した測定後又は就寝時のおやつで）に特定の画面を表示されてもよい。
【００９７】
プロセッサーによって新しい最適な治療法が計算されると、システムは新しい治療法を自動的に実行することもあり、後続の期間が開始するときに実行される場合もある。好ましくは、システムは患者に新しい治療法を提案し、患者は次の期間（例えば、その期間は現在の期間の終了時に開始する）に新しい治療法を受け入れるかどうかを提案する。この場合、システムはコーチを演じ、患者に提案を与える。
【００９８】
システムは、コーチを演じ、特定の治療法を決定するのではなく、受け入れ可能範囲を提案し、患者が次の期間の自分の治療法を自分自身で決定する。当該範囲は単なる提案又は拘束範囲のこともある。
【００９９】
.
システムは、閉ループ装置の安全制御又はウォッチドッグとして使用可能である。この場合、システムは治療の受け入れ可能範囲を計算し、閉ループ装置はこの範囲でのみ送達装置を制御できる。閉ループ装置が範囲を超えようとすると、システムはアラームをトリガーし、あるいは閉ループ装置によって提案された治療法を検証するように患者にプロンプト応答を促してもよい。
【０１００】
期間の持続時間は、１〜３６時間、好ましくは１２〜３０時間に含まれてよく、好ましくは実質的に２４時間であってもよい。期間は、１日の００：００から２４：００まで、好ましくは、実質的に００：００又は６：００以降又は２０：００以降に開始可能とされてよい。新しい期間は、新しい最適療法が計算されたときに開始可能である。この場合、期間長は好ましくは可変である。
【０１０１】
期間は、個人によって異なってよく、及び/又は期間は、互いに異なってよい。
【０１０２】
システムは、患者の通常の診療を学習し、ベーサルレート又は後続のＣＩＲを決定するために患者の通常の診療を考慮するように構成されてよい。例えば、患者が患者の食事に含まれる炭水化物を過剰又は過小評価する傾向がある場合、システムはこのエラーを考慮に入れ、次の期間のベーサルレート及び／又はＣＩＲを減少又は増加させる。
【０１０３】
好ましくは、初期化フェーズの後、ＣＧＭによって測定されたデータを使用して最適な治療を計算するためにシステムはＣＧＭを使用しないし、システムのアルゴリズムはＣＧＭによって測定されたデータを使用しない。上記のように、ＣＧＭを使用するシステムにはいくつかの不利益な点があるため、これは重要な改善点である。システムはＣＧＭによって測定されたデータなしで使用される可能性があることを考慮して、システムはＢＧＭを使用するか、ＢＧＭによって測定されたデータのみを考慮するか、あるいは、最適な治療を計算するのにアルゴリズムがＢＧＭのデータを使用するかであり、換言すれば、システムは、わずかな血糖測定値で最適な治療法（例えば、ベーサルレートやＣＩＲプロファイル）を計算するように構成されている。例えば、血中グルコース測定値は、期間毎に１０以下、好ましくは期間毎に８〜３、より好ましくは期間毎に７〜４であってもよい。血糖測定値は、少なくとも１０分間隔で、優先的には３０分間隔で、より優先的には１時間又は２時間間隔で、さらに長くてもよい。したがって、ＣＧＭなしでシステムを使用したり、アルゴリズムはＣＧＭによって測定されたデータを必要としない。言い換えれば、初期化グルコースレベルを継続的に監視する必要はない。
【０１０４】
＜本発明に係る方法の発明の一態様による実施例＞
本発明の一態様は、以下で説明するように、注入システムにおいて治療法の修正を提供する方法を開示する。この方法は、パーソナルコンピュータ、送達装置、送達装置のリモートコントローラ、又はリモートサーバーで使用されるようなコンピュータ実行可能命令を含むコンピュータ可読媒体によって実行することができる。この方法は、次の手順で構成される。
−  記憶装置から、患者の血糖の少なくとも２つの測定値を最初の期間にわたって取得する；
−  記憶装置から、ベーサルレート及びボーラスのうちの少なくとも１つを含む、前記最初の期間にわたって実行された薬物送達パラメータを取得する；
−  患者のＣＩＲに関連付けられたデータをメモリ装置から取得する；そして
−  プロセッサーユニットにより、ベーサルレートの修正及び／又はＣＩＲの修正を決定する。
【０１０５】
プロセッサーユニットは、新しいベーサルレート及び／又は新しいＣＩＲを決定するために、検索されたデータの少なくとも一部を考慮する。この新しいデータは、後続の期間中、例えば次の期間中に使用されるメモリ装置に記憶されてもよい。
【０１０６】
ベーサルレートの修正及び／又はＣＩＲの修正は、例えば、後続の期間中、例えば次の期間中に発生する可能性がある高血糖イベントの数、及び／又は低血糖イベントの数を防止又は制限するために決定されてもよい。
【０１０７】
プロセッサーは、最初の期間の治療パラメータに適用される変化率を計算して、新しい治療法パラメータ（例えば、修正されたベーサルレート及び／又は修正されたＣＩＲ）を取得してよい。この変化率は、図１５で説明されているように、いくつかの入力データを考慮してもよい。
【０１０８】
決定ステップは、（新しいパラメータをコンピュータ処理又は計算するために）上記で開示されたアルゴリズムを使用し、及び／又はメモリ装置に記憶されたデータテーブルを使用し、及び／又は決定木を使用してもよい。
【０１０９】
図１３にフローチャートの例を示す。決定ステップは、コンピュータ実行可能命令を実行するチューニングモジュールによって実行されてもよい。治療法の修正を決定するために、チューニングモジュールは、ベーサルレート、ＣＩＲ、最初の期間の時間及びグルコース測定を考慮に入れてもよい。チューニングモジュールは、ベーサルレート及びＣＩＲの少なくとも一方を含む修正された治療法をコンピュタ処理してもよい。
【０１１０】
図１４は、チューニングモジュールがさらに次のリストの少なくとも１つのデータを考慮に入れた類似の実施例を示す：摂取した食事に関するデータ（食事の種類、炭水化物の量など）、注入されたボーラスに関するデータ、送達装置の状態に関するデータ、患者に効果的に注入されたインスリン量に関するデータ、患者に関連するデータ（残存インスリン、患者の年齢、患者の活動など）及びその他のデータ（グルコース監視装置のタイプなど）。
【０１１１】
図１５は、チューニングモジュールの実施例の図である。本実施例では、チューニングモジュールは、（例えば）前の期間（例えば、送達デバイスによって実行された）のベーサルレート及び／又はＣＩＲを使用して、修正をコンピュタ計算する。この変化は、次の期間に適応したベーサルレート及びＣＩＲを取得するために、前のベーサルレート及び／又はＣＩＲに適用される比率であってもよい。
【０１１２】
チューニングモジュール（又はシステム）は、利用可能な血糖測定値の数、高血糖イベントの数及び／又は低血糖イベントの数を決定（又はコンピュータ計算）してもよい。チューニングモジュールは、他のデータ、例えば、時間に関連するデータ、食事やその他の関連するデータを考慮してもよい。このデータの全部又は一部が変更（例えば、適用される比率）をコンピュータ計算するのに使用されてもよい。
【０１１３】
図１７Ａ及び１７Ｂに示されるように、血糖測定値は以下を決定するのに使用されてよい：
−  以下で説明するように、治療法のどの部分が変更可能であるか、及び／又は
−  変更のコンピュタ計算方法（どのアルゴリズムが使用されるか）（グルコース監視デバイスのタイプ（ＣＧＭ又はＳＭＢＧ）又は利用可能な測定数に依存する場合がある）。
【０１１４】
この方法は、以下のステップをさらに含み得る：
−  測定に使用されるグルコースモニターのタイプの決定（例えば、ＳＭＢＧ、ＣＧＭ、手動測定、自動測定など）及び／又は、
−  （例えば、所定のリストから）使用するチューニングモジュール（又はコンピューター実行可能命令）又はチューニングモジュールで使用するアルゴリズムを決定する。このステップは、グルコース監視装置のタイプ又は利用可能な測定の数に依存する場合がある。
【０１１５】
したがって、このシステムは、患者に、例えばＣＧＭからＢＧＭへ、及び／又はその逆に、治療法全般にわたってグルコース監視装置のタイプを変更することを可能とする。
【０１１６】
測定に使用されるグルコース監視装置のタイプを決定するには、ユーザー又は患者によって、使用されるグルコース監視装置のタイプが選択されるか、システムによって、使用されるグルコース監視装置のタイプが自動的に決定される。例えば、コンピュータ実行可能命令によって、利用可能な測定の数に応じて、又はシステムに使用されるグルコース監視装置のタイプによって送信される情報に応じて、グルコース監視装置のタイプが決定されてもよい。
【０１１７】
図１６のフローチャートによって説明されるように、本方法は、以下のステップのうちの少なくとも１つをさらに含むことができる：
治療の変更の少なくとも一部を表示する；
患者に治療法の修正を提案する；及び／又は、
後続の期間の治療法の修正を考慮してインスリン量を送達する。
【０１１８】
例えば、決定ステップ後：：
−  修正された治療法はシステムのディスプレイ装置に表示可能であり、その目的を以下に示すと、例えば：
修正された治療法を患者に提案する，
患者に修正を知らせることであり，
−  修正された治療法は患者に提案されてよい，
−  変更された治療法は、修正された治療法で送達装置を制御するために送達装置に送られてもよい，
−  患者は、修正された治療法を受け入れるか、最後の治療法を維持するか、治療法を変更するか、及び選択された治療法を送達装置への送信を決定することが可能である。
【０１１９】
ベーサルレートは、ある期間の期間について、ただ１つの単一のベーサルレートを含んでもよいし、又はいくつかの単一のベーサルレートを含んでもよい。
【０１２０】
新しいベーサルレート及び／又は新しいＣＩＲは、その後の期間に使用可能である。新しいベーサルレート及び／又は新しいＣＩＲが患者に提案され、患者はこの提案を受け入れても、受け入れなくてもよい。患者は、その方法を例えば現在の期間の血糖値の最後の測定後に起動してもよい。したがって、本発明の一態様は、治療法管理を提案するコーチとして演じ得るが、患者は、提案された他のパラメータから選択することができる。
【０１２１】
閉ループの場合、新しいベーサルレート及び／又は新しいＣＩＲが後続の期間に自動的に使用される。
【０１２２】
好ましくは、修正されたＣＩＲは、後続の期間の少なくとも１つの食事の少なくとも１のボーラスをコンピュータ計算するために使用される。
【０１２３】
好ましくは、この方法は、各々の新しい期間に対して繰り返され、後続の期間は、実質的に最初の期間の終了時に、又は前の期間の終了時に開始することができる。
【０１２４】
本発明のに係る一態様による方法は、前記最初の期間にわたって患者によって摂食された少なくとも１回の食事の炭水化物に関連するデータをメモリ装置から取り出すステップをさらに含むことができる。
【０１２５】
オプションとして、プロセッサーユニットは、後続の各期間（例えば、日々）、薬物送達パラメータ（例えばベーサルレート）（及び／又はＣＩＲ）を改善する。この場合、本方法はさらに以下のステップを含んでもよい：
オプションとして、少なくとも１つの過去の期間にわたる患者の血糖の少なくとも２つの測定値（ＳＭＢＧ及び／又はＣＧＭによって実行される）をメモリ装置から取得する；又は、
ベーサルレート及びボーラスの少なくとも一方を含む、少なくとも１つの過去の期間にわたって実行された薬物送達パラメータをメモリ装置から取得する；又は、
前記少なくとも１つの過去の期間にわたって患者のＣＩＲに関連付けられたデータをメモリ装置から取得する。
【０１２６】
過去の期間は最初の期間よりも古いことは理解されるべきである。この場合、プロセスユニットは、１つ又は複数の過去の期間のメモリ装置データから取得されたデータのすべて又は一部を考慮可能である。
【０１２７】
本発明の一態様による方法は、最初の期間中の少なくとも一部に有効な薬物送達の有効量を決定するステップをさらに含むことができ、プロセッサーユニットは、前記薬物送達の有効量をその後の期間の治療方を決定するために考慮可能である。
【０１２８】
本方法は、初期化フェーズと呼ばれる予備フェーズを含むことができ、その期間中にCGMが使用可能である。
【０１２９】
＜本発明の製品実施例＞
図６に開示されるように、本発明の一態様は、糖尿病患者のインスリンの必要性を判定するためのシステム（３００）をさらに開示する。システムには以下を含む：
患者のグルコースレベルに関するグルコースデータを受信するように構成された入力装置（取得装置とも呼ばれる）（３０３）；
ベーサルレート及びボーラスのうちの少なくとも１つを含む薬物送達パラメータに従って患者にインスリンを送達するように構成された送達装置（３０５）；
以下を記憶するように構成されたメモリ装置（３０２）
少なくとも１つのグルコースデータ、
患者の炭水化物／インシュリン比情報に関連する薬物送達パラメータとＣＩＲのうち少なくとも１つ；
以下に適応したコンピューター実行可能命令を実行するように構成されたプロセッサー（３０１）：
メモリ装置から、最初の期間に少なくとも２つのグルコースデータを取得する；  
メモリ装置から以下の少なくとも１つを取得する：
最初の期間に送達装置によって実行される薬物送達パラメーター；及び、
ＣＩＲ；そして、
取得したデータの少なくとも一部に基づいて、以下の少なくとも１つの修正を含む治療法の修正を決定する：
ベーサルレート；及び  
ＣＩＲ。
【０１３０】
治療法の修正は、送達装置（３０５）によって後続の期間に使用されることが好適に意図されており；そして、グルコースデータは、血糖自己監視によって好適に提供される。
【０１３１】
コンピュータ実行可能命令は、さらに以下に適応させることができる：
治療法の修正の少なくとも一部を表示する（例えば、ディスプレイデバイス（３０６）を介して）；
患者に治療法の修正を提案する；及び／又は、
後続の期間の治療法の修正を考慮し、インスリン量を送達するように送達装置を制御する。
【０１３２】
入力デバイスは以下の構成であってよい：
−  ＢＧＭやＣＧＭなどのグルコースセンサー（３０４）を備えた血糖計；  又は、
−  ＢＧＭによって測定された患者の血糖値のデータを手動で入力するために使用されるキーボード（リモートボタンのハードボタン又はタッチスクリーン経由）。
【０１３３】
システムは、視覚ディスプレイと、ユーザー入力データ及び命令を受信及び通信するように構成された入力装置とを含むユーザーインターフェースを備えてもよい。
【０１３４】
プロセッサーはさらに次のようにプログラム可能である:
−  低血糖症及び/又は高血糖症のイベントを予測又はコンピュータ計算して、現在の送達パラメーターによって生じる可能性のある患者に警告する;及び/又は、
−  後続の期間に使用されることを意図した送達パラメータによって引き起こされる可能性がある低血糖、及び/又は高血糖イベントを予測又はコンピュータ計算し、そして、患者に警告可能である。
【０１３５】
このシステムは、教育モジュール（コンピュータ実行可能命令によって提供される結果に応じてディスプレイ装置にメッセージを表示可能とする）として使用されるか、それを含むことができ、その結果以下を達成する：
−  患者に自分の行動を修正するように教育及び／又は動機付けする、又は、
−  患者に自分自身の病気と治療オプションのよりよい理解を提供する、又は，  
−  患者に治療法に従うよう画面プロンプト表示して促す。
【０１３６】
コンピュータ実行可能命令は、期間毎に患者の血糖の１０又は８又は５未満の測定値を考慮に入れてもよい。期間の継続時間は、事前に決定されても、可変であってもよく、１時間から３６時間の間で構成されてよい。
【０１３７】
プロセッサーは、最初の期間の少なくとも一部の間に送達される薬物の有効量を決定するように構成されてもよい。
【０１３８】
プロセッサーは、前記期間にわたって患者が摂食した少なくとも１回の食事の炭水化物に関連するデータを取得するように構成されてもよい。さらに、プロセッサーは、いくつかの期間に取得されたデータの少なくとも一部を考慮することによって、決定プロセスを改善するように構成されてもよい。
【０１３９】
システムは、プロセッサーのコンピュータ実行可能命令を起動するように構成された起動装置をさらに備えてもよい。起動装置は、例えば、期間中の患者のグルコースレベルの最後の測定後に、患者によって起動されてもよい。
【０１４０】
＜発明の一態様による閉ループ監視装置の実施例＞
本発明の一態様は、図７に開示されるように、閉ループ装置を監視するように適応されたシステム及び方法をさらに開示する。システム（３００）は以下を含むことができる：
−  例えばグルコースセンサー（３０４）を介して患者の複数のグルコースデータを取得するように構成された取得デバイス（３０３）；
−  ベーサルレート及びボーラスのうちの少なくとも１つを含む薬物送達パラメータを決定するように構成された閉ループデバイス（３０７）；
−  例えば、薬物送達パラメータ及び／又はグルコースデータに関する複数のデータを格納するように構成されたメモリ装置（３０２）；
−  物送達パラメータに従って患者に薬物を送達するように構成された送達デバイス（３０５）；そして、
−  以下のようにプログラムされたプロセッサー（３０１）：
所定の期間にわたって測定された患者の血糖データを受信する；
前記所定の期間にわたって送達装置によって適用された薬物送達パラメータを受信する；
受信したデータを考慮することによって、例えば、後続の期間に使用できるベーサルレート及び／又はＣＩＲの少なくとも一方を含む受け入れ可能なデータのセットを決定又は計算する；
プロセッサーはさらに以下のようにプログラムされる：
−  後続の期間用に閉ループ装置によってコンピュータ計算された（又は使用されることが意図された）薬物送達パラメーター（及び／又はＣＩＲ）を受信する；  そして、
−  受け入れ可能なデータのセットを、後続の期間で閉ループデバイスによってコンピュータ計算された（又は使用される予定の）薬物送達パラメーター（及び／又はＣＩＲ）と比較する。
【０１４１】
プロセッサーはさらに以下のようにプログラムされる:
−  低血糖症及び/又は高血糖症のイベントを予測又はコンピュータ計算して、現在の送達パラメーターによって引き起こされる可能性のある患者に警告する; 及び/又は、
−  （現在の期間又は後続の期間について）閉ループデバイスによって計算された送達パラメーターによって引き起こされる可能性のある低血糖及び/又は高血糖イベントを予測又はコンピュータ計算する。
【０１４２】
差が所定のしきい値に達すると、プロセッサーは以下のようにプログラムされている:
−  患者又は他のユーザーに警告する、及び/又は、
−  上記の受け入れ可能範囲に従う別の薬物送達パラメーターを提案する、及び/又は、
−  閉ループ装置を停止する。
【０１４３】
そのような装置によって適用されるプロセスの実施例は、図８によって開示されている。
閉ループシステムは、ＣＧＭによって測定されたグルコースデータを使用してもよく、監視プロセスは、ＳＭＢＧ又はＣＧＭによって測定されたグルコースデータを使用してもよい。
【０１４４】
＜送達装置の実施例＞
図１Ｂは、本発明の一態様による送達デバイスの一実施例を示す。送達デバイス（１００）は、２つの別個の部分を備え得る。使い捨て部（１０１）と呼ばれる第１の部分は、所定の期間の後に廃棄されてもよい。使い捨て部は、使用後に再使用できない場合がある（１回使用）。非使い捨て部（１０２）と呼ばれる第２の部分は、異なる（すなわち代々の）使い捨て部で再利用可能であってもよい。使い捨て部（１０１）は、非使い捨て部（１０２）に取り外し可能に取り付けることができ、両方ともポンプ装置を形成する。両方とも、送達装置（１００）が機能するように、好ましくはぴったりとした方法で取り付けられなければならない。
【０１４５】
使い捨て部は、溶液を貯蔵するリザーバ（１０３）を備えてもよい。前記リザーバは、（キャビティとハウジングの外部との）圧力平衡化のためのベント（１０５）を含み得るハウジング（１０４）によって閉じられた第１キャビティに配置される。リザーバは、ポンピングユニットの入口と流体接続する出口を含む。
【０１４６】
非使い捨て部（１０２）は、いくつかの電子素子（１０６）（例えば、プロセッサー及び／又はメモリ）を含むことができ、これらは、疎水性膜による第２のキャビティの換気のためのベント（１０８）を含み得るハウジング（１０７）によって閉じられる第２のキャビティ内に配置される。バッテリー（１０９）は送達装置で使用され、動作には空気が必要な場合がある（例えば、亜鉛空気電池）。好ましくは、使い捨て部のハウジング及び非使い捨て部のハウジングは、送達デバイス（１００）のハウジング（１１２）の少なくとも一部を形成する。非使い捨て部は、ハウジング上に配置された１つ以上のボタンを備えてもよく、前記ボタンはプロセッサーに接続され、送達を制御可能とする。
【０１４７】
ポンピングユニット（図示せず）又はバッテリー（１０９）は、第２のキャビティに配置されてもよい。ポンピングユニット又はバッテリー（１０９）は、使い捨て部に対して固定されてもよい。
【０１４８】
他の実施形態が考えられ、本開示の範囲又は精神から逸脱することなく作成され得ることが理解されるべきである。したがって、上記の送達デバイスは、一実施例であり、完全に使い捨て可能な送達デバイス又は電子機器のない送達デバイスなど、本発明の一態様で使用できる他の送達デバイスも使用可能である。
【０１４９】
＜ポンピングユニットの実施例＞
ポンピングユニットは、リザーバー（１０３）から（ポンピングチャンバー（１１）へ）流体をプルして（ポンピングチャンバー（１１）から）患者へプッシュするように設計されたポンピングチャンバー（１１）を含む「プッシュプル」装置であってもよい。このタイプのポンピングユニットの大きな利点は、送達精度である。確かに、各ストローク時にポンピングチャンバーのおかげで、送達体積がわかる。
【０１５０】
ポンピングユニットは以下を含んでよい：
−  ポンピングチャンバーの容積を変更するように適応されているポンプアクチュエーター（２５）。前記ポンプアクチュエータは、プロセッサーがポンプアクチュエータを制御し、及び／又は（例えば、センサーを介して）前記ポンプアクチュエータの位置を監視するように、プロセッサーに結合されてもよい。プロセッサーは、作動データに応じてアクチュエータの位置を差し引くこともできる。
−  オプションの入口バルブ（２）を備えたインレットと、オプションの出口バルブ（５）を備えた出口。前記バルブは逆止弁であってもよい。ポンピングチャンバーの充填は、入口バルブを開き、出口バルブを閉じたままにするポンピングチャンバー内の負の相対圧力（ポンピング膜のプル）に関連付けられ、一方、注入は、出口バルブを開き、入口バルブを閉じたままにするポンピングチャンバ内の正の相対圧力に対応する（ポンピング膜のプッシュ）。ポンピングユニットの入口は、好ましくは、リザーバ（１０３）の出口と流体接続し、フィルタがリザーバとポンプユニットとの間に配置されてもよい。
−  好ましくは、メカニカルストップに抗して、少なくとも２つの位置の間を移動するように適応されたポンピング膜（３）（少なくとも部分的に柔軟であってもよい）。膜がプルされてポンピングチャンバーが満たされる都度に、膜はそのコースを止める機械的構造と接触する（例えば、接着防止層（１５）に対して）。前記膜がポンピングチャンバーを空にするためにプッシュされるたびに、それは再びそのコースを止めるメカニカルストップと接触する（例えば、接着防止層（１４）に対して）。これらのメカニカルストップのおかげで、例えばそれらの距離が既知で一定であれば、ポンプで送られた容積は高精度で既知である。このシステムは、例えば、所定の期間中にメカニカルストップに対して所定のポンピング膜の位置を保持するように適応され得る。
【０１５１】
一実施形態では、送達システムは、図１Ａに示すように、往復変位ＭＥＭＳであり得るポンピングユニットを含む。前図は、ベースプレート（８）としてのガラス層、ベースプレート（８）に固定された第２のプレート（９）としてのシリコン層、及びシリコンプレート９に固定されたトッププレートとしての第２のガラス層（１０）シリコンプレート９に固定されたトッププレートとして、それにより容積を有するポンピングチャンバ（１１）を定義する。メサ（６）にリンクされたアクチュエータ（２５）は、ポンピング膜（３）の制御された変位を可能とする。出口制御部材、出口バルブ（５）をここに示されていない外部検出器及び最終的にポンプの反対側に配設されている出口ポート（１８）に接続するために、チャネル（７）も存在する。
【０１５２】
図１Ａはさらに、チャネル（７）、外側検出器（１３）、出口弁の下流に位置する流体チャネル（１７）及び出口ポート（１８）上のオプションカバー（１２）を示す。ポンピングチャンバー内の圧力は、作動速度、入口と出口での圧力、チャンバー内の気泡の存在の可能性、バルブ特性、及びそれらの漏れ率などの多数の要因に応じて、ポンピングサイクル中に変化する。
【０１５３】
ＭＥＭＳ技術は、シリコンチップに統合されたピエゾ抵抗ゲージ圧力センサー（４、１３）の実装に適する。シリコンの非常に大きなピエゾ抵抗係数のおかげで、これらのセンサーは、優れた感度、低いデッドボリューム、ヒステリシスなし、いわゆるホイートストンブリッジ構成を使用した場合の小さなオフセットと良好な線形性を示し、信号の温度依存性が唯一の欠点である。
ホイートストンブリッジ構成のひずみゲージを備えた第１の膜（４）をポンプの良好な働きを監視するためにポンピングチャンバーに配置してよく、他方で、別のセンサー（１３）を閉塞検出目的のために出口バルブの下流に配置してもよい。
【０１５４】
これらのゲージ圧力センサーの特性、注入プロファイル、及び抵抗器の位置が最適化されており、最小分解能１ｍｂａｒ以下で−１〜＋１．５ｂａｒの範囲で約数百ｕＶ／Ｖ／ｂａｒのオフセット及び代表感度１０から５０ｍＶ／Ｖ／  ｂａｒの検出器を得ている。マスクのアライメント、注入、膜のエッチング、膜と結晶軸に対する抵抗の位置に関連するさまざまなエラーを考慮した後、検出器の信号変動は２０°Ｃで＋／−７．６％と評価されている。
【０１５５】
圧力センサーは、例えばプロセッサーがこの有効量を評価する圧力データに応じて、患者に効果的に送達された量（例えば、期間中に）を監視するためにも使用できる。プロセッサーユニットは、有効量と治療データ（例えば、ベーサルレート）を比較し、新しい最適な治療法を決定することを考慮してもよい。
【０１５６】
他の実施形態が創案され、本開示の範囲又は精神から逸脱することなく作成され得ることが理解されるべきである。したがって、上記のポンピングユニットは、一実施例であり、シリンジポンプその他のポンピングユニットが本発明の一態様で使用可能である。
【０１５７】
＜送達システムの他のオプションフィーチャ＞
図１Ｃは、送達システム（医療システムとも呼ばれる）の送達デバイス（１００）を示す。送達装置は、患者の皮膚に直接装着されるように設計されてもよい。本実施形態では、送達システムは、患者の皮膚に対して（接着剤を介して）固定されるように適応されたパッチ（１１０）を含む。パッチは、送達装置をパッチに取り外し可能に固定するための取り付け部材を含む。システムは、送達装置（１００）に取り外し可能に結合可能な注入セット（１１１）をさらに含む。輸液セットは、パッチ（１１０）又は輸液セットに取り外し可能に結合されてもよく、パッチは単一部品内に形成されてもよい。送達装置は、送達装置が注入セットに正しく結合されたときを検出するように適応されたセンサー（ホール効果センサー）（図示せず）を備えてもよい。前記センサーは、好ましくは送達装置（１００）のプロセッサーに接続される。
【０１５８】
送達装置と輸液セットが正しく結合されると、流体経路が作成される。前記流体経路は、リザーバから注入部位まで延びている。
【０１５９】
図１Ｄは、輸液セット（１１１）から外された送達装置（１００）の概略図を示す。送達装置は、リザーバー及びポンプユニットが配置されたハウジング（１１２）を含む。送達装置（１００）は、送達装置と輸液セットが結合されたときに輸液セット（１１１）の入口ポート（１１３）に接続（流体連通）するように適応された出口ポート（１１４）をさらに含む。前記注入セットは、カニューレ（１１５）、針、又はマイクロ針をさらに含む。
【０１６０】
図１Ｅに示される一例では、送達システムはさらにリモートコントローラー（２００）を含む。前記リモートコントローラは、送達装置（１００）を命令及びプログラムするように適応されており、それは、ユーザーと送達装置（１００）との間のインターフェースとして使用される。好ましくは、リモート装置と送達装置は２つの別個の装置である。したがって、送達装置は、プロセッサー及びメモリを含む独自の電子装置を含んでよく、リモートコントローラは、プロセッサー及びメモリを備えた独自の電子装置を含んでよい。
【０１６１】
リモートコントローラ（２００）は、スクリーン（２０１）（例えばタッチスクリーン）と、オプションで、少なくとも１つのボタン（２０２）とを含む。リモートコントローラ（２００）及び送達装置（１００）は、無線通信を介して送達装置とリモートコントローラとの間のデータ交換を可能にする遠隔通信装置（２０３）を含む。少なくとも１つの遠隔通信装置は、リモートコントローラーのハウジング又はポンプ装置のハウジング内に配置されてもよい。前記遠隔通信装置は、無線通信（例えば、無線周波数、ブルートゥース、ＢＬＴＥ、ＷＩＦＩ、Ｚｉｇｂｅｅなど）を介して、送達装置からリモートコントローラへ、及びリモートコントローラから送達装置へデータ交換する。
【０１６２】
システムは、体液中の分析物の濃度を評価するために使用される検体測定装置を備えてもよい。検体測定装置は、リモートコントローラ（例えば、リモートコントローラのハウジング内）又は別個の装置に配置されてもよい。分析物測定装置は、患者の体液中に存在するグルコースレベルを測定するために使用されるＢＧＭであってもよい。リモートコントローラのメモリは、１以上の期間の１以上のＢＧ測定値を記憶するように構成されてもよい。リモートコントローラは、ＢＧ測定のデータを入力するように構成された入力装置を備えてもよい。
【０１６３】
システムは、グルコースレベルデータ、治療管理、ソフトウェア、治療履歴、患者データなどを記憶するように構成されたメモリ装置をさらに備えてもよい。例えば、このメモリ装置はリモートコントローラ内に配置され、リモートコントローラのプロセッサーに接続されてもよい。
【０１６４】
システムは、患者の皮膚に対して固定された着用可能なセンサー装置をさらに備えてもよく、前記リモートセンサー装置は、例えば定期的に患者の血糖値を監視するように適応される。
【０１６５】
＜本発明の一態様による方法で使用されるアルゴリズム＞
本発明の一態様による製品は、その性能を経時的に最適化するために、かつ対象の変動性と外乱の多様性を原因とする固有のシステム遅延と不確実性を克服するために、学習及びオンライン適応の能力を主な特徴とする新しい非線形コントロールアプローチを含むことを可能とする（又は本発明の一態様による方法を使用することができる）。さらに、モデリング関連のエラーを回避するために、コントローラー装置の設計にモデルフリーアプローチを採用可能である。人工知能アプローチに基づく安全機構により、コントローラーがインスリンの過剰投与と血糖低下イベントを確実に防ぐことを可能とする。
【０１６６】
Ｔ１Ｄ患者のグルコース調節のための新しい制御アルゴリズムは、強化学習と最適制御；俳優批評家クリティック（以下で、Ａｃｔｏｒ  Ｃｒｉｔｉｃ（ＡＣ）又はＡＣとも呼ぶ）学習アルゴリズムに基づいて導入されてよい。ＡＣの主な原理は、制御下にあるシステムと、その環境と、制御ポリシーのそれぞれの適応との継続的な相互作用に基づく経時的性能最適化である。ＡＣアルゴリズムは、適応学習とロバストなアプローチの必要性を暗示する、非線形、高次元、確率的システム、特性の制御において、大きな受け入れと成功した実装が見出されてきた。Ａｃｔｏｒ  Ｃｒｉｔｉｃ（ＡＣ）学習アルゴリズムに関する詳細については、ＰＣＴ出願ＷＯ  ２０１８／０１１７６６  Ａ１に記載されている。このＰＣＴ出願の内容は、参照により本出願に組み込まれる。
【０１６７】
ＡＣは、２つの補完的な部分で構成されている：批評家と俳優（原文：ｔｈｅ  Ｃｒｉｔｉｃ  ａｎｄ  ｔｈｅ  Ａｃｔｏ）。アルゴリズムの各タイムステップで、批評家は、先に進む場合のコスト（原文：ｃｏｓｔ-ｔｏ-ｇｏ）、つまり、時間的差分学習（原文：Ｔｅｍｐｏｒａｌ  Ｄｉｆｆｅｒｅｎｃｅｓ（ＴＤ）以下でと呼ぶ）メソッドに基づくシステムの将来のコストの近似値を提供する。俳優はパラメーター化された制御ポリシーを実装し、これは、パラメーターを適切に更新することによって、批評家の評価に基づき最適化される。
【０１６８】
システムの数学的モデルを設計又は予測の目的に使用しないという意味で、ＡＣはモデルフリーのアプローチで実装されているであろう。俳優と評論家の双方ともに、その機能は現在のグルコース測定値、過去のグルコース、グルコースの傾向、ＩＯＢ及び次に来る食事のタイミングと量に関する情報に基づいている。
【０１６９】
閉ループの安全性を確保するために、データ制御モデルとＩＯＢに関連する制約の組み合わせの使用に基づいて安全機構を設計し、ＡＣコントローラーのインスリン注入レートによって提案されたものを削減又は一時停止することができる。最大許容ＩＯＢ値が定義されるであろう、これを超えると、潜在的低血糖イベントを回避するために、ポンプが停止する。さらに、来るべきの血糖低下イベントを検出するための警告機構が設計される。来るべき低血糖症を警告することは、インスリン注入と患者の情報を即座に一時停止し、患者のグルコースレベルを上げる自己のアクションを起こすのに極めて重要である。
【０１７０】
グルコース調節のための他の制御アルゴリズムは、限定なく以下のような本発明の態様による方法で使用され得る：
−  比例積分微分（ＰＩＤ）コントローラー、
−  モデル予測コントローラー（ＭＰＣ）、
−  Ｒｕｎ-ｔｏ-Ｒｕｎアルゴリズム、
−  最適制御（ＯＣ）、
−  ＭＤ-Ｌｏｇｉｃ（ＭＤＬ）、又は
−  二ホルモンのグルコース調節、等
【０１７１】
＜治療法を修正するためのSMBGデータ考慮法＞
ベーサルレート及び／又はＣＩＲ
本発明の一態様によれば、臨床医、技術者、又は患者の関与なしに、インスリン送達設定（ベーサルレート（ＢＲ）及び／又はＣＩＲ）を毎日適応させるための新規アルゴリズムアプローチが導入される。日内変動サイクルと経日インスリン感度（ＳＩ）変動に対処するために、朝食、昼食、夕食の３つの異なるＣＩＲを計算してもよい。ベーサルレートプロファイルの変動性は、Ｔ１Ｄの成人における急性合併症の頻度の増加と関連しているため、毎日更新されるフラットなベーサルレートプロファイル（激しい身体運動が含まれていない場合）の使用を考慮できる。図４のフローチャートは、ＢＲ（上）とＣＩＲ（下）の毎日の適応プロセスを示している。
【０１７２】
ＳＭＢＧの影響
ＮＩＣＥガイドライン［ＮＩＣＥガイドライン［ＮＧ１７］（２０１５）：成人のタイプ１型糖尿病：診断と管理］毎日最低４回のＳＭＢＧを考慮する必要がある。好ましくは、新しいアルゴリズムはこの要件を維持します。ＳＭＢＧは、食事前の測定値（食事の２０分前）、食事後の測定値（食事の２時間後）、又は就寝時の測定値（２３：００）である。ＢＧＭの通知に対して、アルゴリズムは、＋／−１５分オーダーのエラーを許容できるように適合可能である。ＳＭＢＧは、食前食後にいつでも行うことができることは留意すべきである（例：食前４０分前のＳＭＢＧ通知の時間に＋／−１５分誤差が入る）。
【０１７３】
好ましくは、３つの食前測定が必須になってよい。もう１回の測定は、就寝時測定又は食後測定のいずれかである。
【０１７４】
ベーサルレート
ベーサルレートは、空腹時ＳＭＢＧ、３つの食前測定、又は３つの食前測定と就寝時間測定に基づいて更新される。
【０１７５】
ＣＩＲ
当日の主食（朝食、昼食、又は夕食）のそれぞれのＣＩＲは、前日の対応する食事及び／又は最新の食前ＳＭＢＧのグルコース測定値に基づいて更新されてよい。対応する食事の前日の食後の測定値が利用可能な場合、それを考慮に入れてもよい。
【０１７６】
例
４つのすべての空腹時ＳＭＢＧが利用可能な場合、これら４つの空腹時測定を使用してＢＲを調整可能である。ＣＩＲは、対応する食前の測定に基づいて更新可能である。
【０１７７】
４つの測定に３つの食前測定と１つの朝食後測定が含まれる場合、ベーサルレートは３つの事前測定に基づいて更新され、朝食のＣＩＲは朝食前と朝食後の測定に基づいて更新され、他方で、昼食と夕食のＣＩＲは、食事前の測定値のみに基づいて更新されてよい。
【０１７８】
毎日７回の測定（例えば、３回の食前測定、３回の食後測定、１回の就寝時測定）が利用可能な場合、ベーサルレートは前日の４回の空腹時測定に基づいて更新され、各ＣＩＲは前日の対応する食前食後の測定に基づいて更新されてもよい。
【０１７９】
図１６は、変更すべきデータを決定するフローチャートを描く図である。
【０１８０】
＜グルコース調節のアルゴリズム例と主要な結果＞
このドキュメントで説明する送達システムは、Ａｃｔｏｒ-Ｃｒｉｔｉｃ（ＡＣ）学習に基づくアルゴリズムを使用してもよい。ＡＣは強化学習（ＲＬ）アルゴリズムの分類クラスに属し、２つの補完的な適応エージェント：ＣｒｉｔｉｃとＡｃｔｏｒで構成され、前者は制御ポリシーの評価を担当し、後者は制御ポリシーの最適化を担当する。
【０１８１】
システムは、有限状態空間Ｘとアクション空間Ｕを備えたマルコフ決定プロセス（ＭＤＰ）としてモデル化できる。エージェントの目的は、そのパス全体で予想されるコストを最小化するために、最適なポリシーを見つけることである。状態ｘとｙの間の遷移は、選択された制御アクションｕに依存し、遷移確率分布ｐ（ｙ｜ｘ，ｕ）に従う。ローカルコストｃ（ｘ，ｕ）は、各状態とアクションに関連付けられている。ＡＣアルゴリズムの目的は、最適な制御ポリシーを見つけて、すべての状態で状態ごとの平均予想コストを最小化することである。この例の制御ポリシーの更新期間は２４時間（１日）に設定された。したがって、アルゴリズムは、ベーサルレートとＣＩＲ（プロファイル）の日次更新を提供することによって、適応型血糖制御を提供する。
【０１８２】
図４は、１日のベーサルレートとＣＩＲプロファイルの更新の実施例の概略図とフローチャートを示す。この例では、１日あたり３つのＣＩＲを持つフラット基本レートとＣＩＲプロファイルが使用されている。システムは１日中データを収集して、現在のベーサルレートを評価する。ＢＧの最後の測定までに、収集されたデータの評価に基づいて、翌日のベーサルレートが更新される。食事が発表されると、対応するＣＩＲ値がアクティベートされるが、それは、前日の対応する期間に収集されたデータに基づいて更新されたものである。
【０１８３】
ＡＣアルゴリズムの例は、米国食品医薬品局（ＦＤＡ）が承認したＵＶａ  Ｐａｄｏｖａ  Ｔ１ＤＭ  Ｓｉｍｕｌａｔｏｒ  ｖ３．２を使用してコンピューター上で評価された。図５ａは、制御変動グリッド分析（ＣＶＧＡ）の観点からの主要な評価結果を示し、他方で、図５ｂの表１は、同じ実験の結果をＢＧレベルの観点から示す。実施例の実験期間は６０日間であった。「開ループ」（ＯＬ）により、シミュレーションプロセス全体（６０日間）でシミュレーターから与えられたベーサルレートとＣＩＲを使用して実験が行われた：最初の４日間で前述の初期化プロセスが行われ、次の５５日間でＡＣアルゴリズムが毎日ベーサルレートとＣＩＲプロファイルを更新した。インスリン感受性の変動（「夜明け現象」）と、-２５％から＋  ２５％の間で一様に分布するランダムな食事の不確実性とが導入された。結果は、実験の最後の５日間に基づいて評価された。
【０１８４】
図５ａ（左：大人、中央：青年、右：子供）によると、この使用例では、各グループのＡ＋Ｂゾーンの割合は少なくとも９７％であった。表１から、各年齢層の正常血糖の割合が増加したのに対し、他方、高血糖の割合はすべての患者で減少したことは明らかである。最後に、低血糖症の割合は、すべての成人及び青年で減少した。
【０１８５】
＜CGM及びSMBGを使用する実施例の結果＞
ＣＧＭとＳＭＢＧの双方のバージョンのアルゴリズムは、次の構成でＦＤＡによって承認された１００人の成人を使用してコンピューター上で評価された（コンピューターでの追跡の概要を図９に示す）。
Ａ．グルコースセンサー
ＣＧＭバージョン：Ｄｅｘｃｏｍ  ５０
ＳＭＢＧバージョン：１日４回の空腹時測定
（注：１１人の患者が関与するシミュレータのトレーニングバージョンでは、アルゴリズムは１から７の毎日のＢＧＭ測定で評価された。ＮＩＣＥガイドライン［ＮＧ１７］によると、毎日４回以上のＳＭＢＧ測定を考慮すべきであるため、毎日４回のＳＭＢＧ測定を伴うアルゴリズムが  ＦＤＡ承認の成人１００人で評価された。）
【０１８６】
2020513969.tif 000003
【０１８７】
Ｃ.実装された仮説
試用期間：98日（最初の日を除く+1週間の初期化+アルゴリズムに基づく治療中の3か月）
インスリン感受性（SI）の変動：夜明け現象（−50％）、日別±25％
［1週間の初期化＋アルゴリズムに基づく治療中の12週間］
夜明け現象スキーム：SIを毎日午前4:00から8:00に0.5に変更
評価フェーズ：13週目（SIあり）及び14週目（SIなし）
スポーツ：いいえ
スナックのボーラス：いいえ
【０１８８】
【表１】
2020513969.tif 000004
【表２】
2020513969.tif 000005
【０１８９】
表１及び表２によると、アルゴリズムのＳＭＢＧ及びＣＧＭバージョンは同等のパフォーマンスを達成した。目標範囲の割合は非常に類似したが、ＳＭＢＧバージョンでは低血糖イベントを減らすことができたのに対し、高血糖イベントの数はわずかに増加した。さらに、図１０は、初期化フェーズの後、双方のバージョンでＨＢＧＩのレベルを上げ図にＬＢＧＩを「低」から「最小」に減少させたことを示している。図１０の注：毎週の低血糖指数（ＬＢＧＩ）と高血糖指数（ＨＢＧＩ）  ＬＢＧＩ：＜＝１．１（最小）、１．１−２．５（低）、２．５−５．０（中）、＞５（高）、ＨＢＧＩ：＜＝５（最小）、５-１０（低）、１０−１５（中）、＞１５（高）。
【符号の説明】
【０１９０】
１         ポンプ
２         入口バルブ
３         ポンピング膜
４         センサー膜
５         出口バルブ
６         メサ
７，１７  チャネル
８         ベースプレート
９         第２プレート
１０       トッププレート
１１       ポンピングチャンバー
１２       カバー
１３       センサー膜
１４，１５，２４  接着防止層
１８       出口
２３       バルブアーム
２５       アクチュエータ
１００     ポンピング装置
１０１     使い捨て部
１０２     非使い捨て部
１０３     リザーバ
１０４     ハウジング
１０５     ベント
１０６     電子素子
１０７     ハウジング
１０８     ベント
１０９     バッテリー
１１０     パッチ
１１１     輸液セット
１１２     ハウジング
１１３     輸液セットの入口
１１４     ポンピング装置の出口
１１５     カニューレ
２００     リモートコントローラー
２０１     スクリーン
２０２     ボタン
２０３       通信装置  
３００     システム
３０１     プロセッサー
３０２     メモリ装置
３０３     入力装置
３０４     グルコースセンサー
３０５     送達装置
３０６     ディスプレイ装置  （又は  ＧＵＩ）
３０７     閉ループ装置
【図１ａ】
2020513969.tif 000006
【図１ｂ】
2020513969.tif 000007
【図１ｃ】
2020513969.tif 000008
【図１ｄ】
2020513969.tif 000009
【図１ｅ】
2020513969.tif 000010
【図２】
2020513969.tif 000011
【図３】
2020513969.tif 000012
【図４】
2020513969.tif 000013
【図５ａ】
2020513969.tif 000014
【図５ｂ】
2020513969.tif 000015
【図６】
2020513969.tif 000016
【図７】
2020513969.tif 000017
【図８】
2020513969.tif 000018
【図９】
2020513969.tif 000019
【図１０】
2020513969.tif 000020
【図１１】
2020513969.tif 000021
【図１２】
2020513969.tif 000022
【図１３】
2020513969.tif 000023
【図１４】
2020513969.tif 000024
【図１５】
2020513969.tif 000025
【図１６】
2020513969.tif 000026
【図１７ａ】
2020513969.tif 000027
【図１７ｂ】
2020513969.tif 000028
【国際調査報告】
2020513969.tif 000029
2020513969.tif 000030
2020513969.tif 000031